(57)【特許請求の範囲】
【請求項１】
画像信号の階調に応じた電圧を選択し、信号線駆動信号として出力する基準電圧選択回路を備えた信号線駆動回路であって、
複数の第１基準電圧の少なくとも２つの電圧間を分圧して第２基準電圧とするラダー抵抗を備え、
該ラダー抵抗と上記第１基準電圧の各供給線との間に、第２制御信号により制御される第２スイッチが設けられ、
該第２スイッチは、画像信号の階調数に応じて制御されることを特徴とする信号線駆動回路。
【請求項２】
第１基準電圧が上記基準電圧選択回路に直接入力されていることを特徴とする請求項１記載の信号線駆動回路。
【請求項３】
前記第２基準電圧は、入力インピーダンスが大きく出力インピーダンスが小さいバッファ回路を介して前記基準電圧選択回路に入力されるととともに、前記第１基準電圧が直接基準電圧選択回路に入力されていることを特徴とする請求項１記載の信号線駆動回路。
【請求項４】
上記第２基準電圧は、入力インピーダンスが大きく出力インピーダンスが小さいバッファ回路を介して前記基準電圧選択回路に入力されるとともに、前記信号線駆動回路に供給される電源電圧の内、少なくとも前記バッファ回路に供給される電源電圧は、第１制御信号により制御される第１スイッチを介して該バッファ回路に供給されることを特徴とする請求項１記載の信号線駆動回路。
【請求項５】
前記第１スイッチは、画像信号の階調数に応じて制御されることを特徴とする請求項４記載の信号線駆動回路。
【請求項６】
上記第２基準電圧は入力インピーダンスが大きく出力インピーダンスが小さいバッファ回路を介して前記基準電圧選択回路に入力され、かつ、
前記バッファ回路ヘの電源を遮断する第１スイッチ、またはデコードテーブルを変更することで前記基準電圧選択回路の電圧選択パターンを変更するデコード回路の少なくとも１つを備え、
画像信号の階調数に応じて、前記第１スイッチが遮断または導通の制御をされるか、あるいはデコード回路がデコードテーブルを変更することを特徴とする請求項１記載の信号線駆動回路。
【請求項７】
画像信号の階調に応じた電圧を選択し、信号線駆動信号として出力する基準電圧選択回路を備えた信号線駆動回路であって、
複数の第１基準電圧の少なくとも２つの電圧間を分圧して第２基準電圧とするラダー抵抗を備え、
該ラダー抵抗と上記第１基準電圧の各供給線との間に、第２制御信号により制御される第２スイッチが設けられ、
画像信号をサンプリングするサンプリング回路と、このサンプリングされた信号に基づいて前記基準電圧選択回路を制御するデコード回路とを備え、
前記デコード回路は、画像信号の階調数に応じて制御される第３制御信号により制御されてデコードテーブルを変更し、前記基準電圧選択回路の電圧選択パターンを変更させることを特徴とする信号線駆動回路。
【請求項８】
画像信号の階調に応じた電圧を選択し、信号線駆動信号として出力する基準電圧選択回路を備えた信号線駆動回路であって、
複数の第１基準電圧の少なくとも２つの電圧間を分圧して第２基準電圧とするラダー抵抗を備え、
該ラダー抵抗と上記第１基準電圧の各供給線との間に、第２制御信号により制御される第２スイッチが設けられ、
上記第２基準電圧は入力インピーダンスが大きく出力インピーダンスが小さいバッファ回路を介して前記基準電圧選択回路に入力されるとともに、前記バッファ回路ヘの電源を遮断する第１スイッチと、デコードテーブルを変更することで前記基準電圧選択回路の電圧選択パターンを変更するデコード回路とを備え、
前記画像信号の階調数が第１基準電圧の数以下の場合に、前記第１スイッチおよび第２スイッチが共に遮断され、かつデコードテーブルが画像信号の階調数に対応したものとされることを特徴とする信号線駆動回路。
【請求項９】
マトリクス状に配置された画素と、前記画素に接続された複数の信号線と、前記画素に接続された複数の走査線と、該走査線に走査信号を出力し垂直走査を行う走査信号線駆動回路と、画像信号の階調に応じた電圧を選択し出力する基準電圧選択回路を有し、前記信号線に信号線駆動信号を供給する信号線駆動回路とを備えた画像表示装置において、
複数の第１基準電圧の少なくとも２つの電圧間を分圧して第２基準電圧を得るラダー抵抗を備え、該ラダー抵抗と上記第１基準電圧の各供給線との間に、第２制御信号により制御される第２スイッチが設けられ、
該第２スイッチは、画像信号の階調数に応じて制御されることを特徴とする画像表示装置。
【請求項１０】
前記第２基準電圧は、入力インピーダンスが大きく出力インピーダンスが小さいバッファ回路を介して前記基準電圧選択回路に入力されるとともに、前記第１基準電圧が直接前記基準電圧選択回路に入力されていることを特徴とする請求項９記載の画像表示装置。
【請求項１１】
前記第２基準電圧は、入力インピーダンスが大きく出力インピーダンスが小さいバッファ回路を介して前記基準電圧選択回路に入力されるとともに、前記信号線駆動回路に供給される電源電圧の内、少なくとも前記バッファ回路に供給される電源電圧は、第１制御信号により制御される第１スイッチを介して該バッファに供給されることを特徴とする請求項９記載の画像表示装置。
【請求項１２】
画像信号をサンプリングするサンプリング回路と、サンプリングされた信号に基づき前記基準電圧選択回路を制御するデコード回路とを有し、前記デコード回路は、第３制御信号により制御されてデコードテーブルを変更し、前記基準電圧選択回路が基準電圧を選択するパターンを変更することを特徴とする請求項９記載の画像表示装置。
【請求項１３】
上記第２基準電圧は入力インピーダンスが大きく出力インピーダンスが小さいバッファ回路を介して前記基準電圧選択回路に入力され、かつ、
前記バッファ回路ヘの電源を遮断する第１スイッチ、またはデコードテーブルを変更することで前記基準電圧選択回路の電圧選択パターンを変更するデコード回路の少なくとも１つを備え、
画像信号の階調数に応じて、前記第１スイッチが遮断または導通の制御をされるか、あるいはデコード回路がデコードテーブルを変更する特徴とする請求項９記載の画像表示装置。
【請求項１４】
前記画像信号の階調数の変化に応じ、第２スイッチと前記第１スイッチまたはデコード回路の少なくとも一方とを制御し、駆動モードを任意に切り替える設定回路を有することを特徴とする請求項１３に記載の画像表示装置。
【請求項１５】
マトリクス状に配置された画素と、前記画素に接続された複数の信号線と、前記画素に接続された複数の走査線と、該走査線に走査信号を出力し垂直走査を行う走査信号線駆動回路と、画像信号の階調に応じた電圧を選択し出力する基準電圧選択回路を有し、前記信号線に信号線駆動信号を供給する信号線駆動回路とを備えた画像表示装置において、
複数の第１基準電圧の少なくとも２つの電圧間を分圧して第２基準電圧を得るラダー抵抗を備え、該ラダー抵抗と上記第１基準電圧の各供給線との間に、第２制御信号により制御される第２スイッチが設けられ、
上記第２基準電圧は入力インピーダンスが大きく出力インピーダンスが小さいバッファ回路を介して前記基準電圧選択回路に入力されるとともに、前記バッファ回路ヘの電源を遮断する第１スイッチと、デコードテーブルを変更することで前記基準電圧選択回路の電圧選択パターンを変更するデコード回路とを備え、
前記画像信号の階調数が第１基準電圧の数以下の場合に、前記第１スイッチおよび第２スイッチが共に遮断され、かつデコードテーブルが画像信号の階調数に対応したものとされることを特徴とする画像表示装置。
【請求項１６】
画像表示装置を有する携帯機器において、請求項９ないし１４のいずれか１項に記載の画像表示装置が搭載されていることを特徴とする携帯機器。
【発明の詳細な説明】
【０００１】
【発明の属する技術分野】
本発明は、画像信号をサンプリングし、信号線に階調毎の信号線駆動信号を出力する画像表示装置の信号線駆動回路、この信号線駆動回路を用いた画像表示装置およびこの画像表示装置を使用した携帯機器に関するものである。
【０００２】
【従来の技術】
省電力、省スペースが求められる携帯機器等の表示部として液晶表示装置が広く使用されている。この液晶表示装置の構成例を図３に示す。
【０００３】
同図に示すように、アクティブマトリクス型液晶表示装置１０１では、画素電極１６がマトリクス状に配置され、各画素電極１６にはＴＦＴ１７（Thin Film Transistor) 等のアクティブ素子を介して信号線１８と走査線１９とが接続され、これら複数の信号線１８と複数の走査線１９とが第１透明基板２０上に備えられている。この第１透明基板２０と対向する位置に配置された第２透明基板（図示せず）には対向電極（図示せず）が備えられ、これら第１透明基板２０と第２透明基板との間には液晶（図示せず）が封入されている。
【０００４】
アクティブマトリクス型液晶表示装置１０１には画像信号供給回路３から画像信号（Ｒ０等）が入力される。この画像信号は、ラッチ回路１３等でタイミング調整された後、信号線駆動回路１１１に入力される。信号線駆動回路１１１は、信号線１８に供給する信号線駆動信号を出力して信号線１８を駆動する。走査線１９には前記画像信号のタイミングに応じた走査信号が走査線駆動回路１５より供給され、走査線１９が垂直走査される。
【０００５】
このようなアクティブマトリクス型液晶表示装置１０１は、画質が良好であることから、高画質が要求される携帯機器に使用されている。携帯機器では、高画質化と共に、バッテリ電力消費量を低減して使用時間を延長することへの要望が非常に強い。したがって、携帯機器に使用する画像表示装置では、低消費電力であることが必要である。前記アクティブマトリクス型液晶表示装置１０１は、液晶表示装置であるため電力消費量は少ないが、上記要望に沿うようにさらなる省電力化が求められている。
【０００６】
また、従来、アクティブマトリクス型液晶表示装置１０１は透過型が主流であった。しかしながら、今日では、反射型または反射／透過両用型のものが、携帯機器、特に携帯電話のような非常に小型の機器にも使用されつつある。これは、上記反射型等であっても色再現性に優れたものが開発されたことによる。さらには、上記反射型等では、透過型で必要であったバックライトが不要であること、またはバックライトが単に補助として使用されるのみであることから、バックライトでの極めて多量の電力消費が削減できるようになったためである。
【０００７】
バックライトの次に電力消費量が多い部分としては、信号線１８に信号線駆動信号を供給する信号線駆動回路１１１が挙げられる。したがって、上記反射型等のアクティブマトリクス型液晶表示装置１０１では、信号線駆動回路１１１の省電力化が特に重要である。
【０００８】
信号線駆動回路１１１の省電力化を目的とした発明には、特許第３００７７４５号公報に記載のものがある。この発明では、信号線駆動回路１１１内のバッファ回路の位置を工夫している。図４にはその信号線駆動回路１１１を示す。以下、同図にしたがってその構成について説明する。
【０００９】
１１２はアクティブマトリクス型液晶表示装置１０１に表示される画像信号の入力端子である。図４では、赤（Ｒ）、緑（Ｇ）、青（Ｂ）各６ビットの場合を示している。また、各色の画像信号をＲ０〜Ｒ５、Ｇ０〜Ｇ５およびＢ０〜Ｂ５で示している。１１３はサンプリング・ラッチ回路であり、前記画像信号をサンプリングしてラッチし、次段のデコード回路１１４を制御する信号を出力する。１１４はデコード回路であり、前紀サンプリング・ラッチ回路１１３でサンプリングされた画像信号の階調に基づいて、画像信号を次段の基準電圧選択回路１１５を制御する信号に、デコードテーブルを用いて変換する。１１５は基準電圧選択回路であり、入力される基準電圧をデコード回路１１４の出力に基づいて選択する。
【００１０】
１１６は分圧回路であり、外部基準電源回路１２から入力される第１基準電圧ＶＢ１をラダー抵抗３６等で分圧する。この分圧回路１１６で分圧して作成された基準電圧を第２基準電圧ＶＢ２とする。第１基準電圧ＶＢ１および第２基準電圧ＶＢ２は、入力インピーダンスが大きく出力インピーダンスが小さいバッファ回路１１７を介して前記基準電圧選択回路１１５に入力され、基準電圧選択回路１１５で選択される基準電圧となる。基準電圧選択回路１１５の出力は、出力バッファ回路１１８を介して信号線駆動回路１１１の出力端子１１９に出力される。したがって、この信号線駆動回路１１１では、分圧回路１１６を流れる電流を削滅することにより、信号線駆動回路１１１全体の省電力化を図ることができる。
【００１１】
【発明が解決しようとする課題】
しかしながら、前記従来のアクティブマトリクス型液晶表示装置１０１に用いられる信号線駆動回路１１１では、信号線駆動回路１１１内の一部の回路で消費される電流を削減することにより省電力化を図っていたに過ぎない。したがって、携帯機器の使用時間を延長するためにさらなる省電力化が望まれている。特に反射型または反射／透過両用型の表示装置では、従来電力消費量の大きいバックライトが不要であるかまたは補助的に使用されるのみであるため、信号線駆動回路１１１の省電力化が画像表示装置全体の省電力化に寄与する割合が非常に大きい。
【００１２】
また、特に近年普及の一途をたどる携帯電話では、待ち受け時と通話時とにおいて携帯電話本体の消費電力が桁違いに異なる。したがって、必要な省電力化の程度がその使用状況に応じて大きく異なる。一般的な携帯電話の場合を例示すると、待ち受け時の消費電力は携帯電話全体で約５ｍＷ、通話時の消費電力は携帯電話全体で約９００ｍＷとなる。したがって、携帯電話に使用される表示装置においても、上記の各使用状況において必要とされる省電力化の程度が異なる。
【００１３】
本発明は、上記問題点を解決するためになされたものであり、信号線駆動回路のさらなる省電力化を図るとともに、使用状況に応じて省電力化の程度を任意に選択できるマトリクス型表示装置の信号線駆動回路およびそれを用いた画像表示装置並びにその画像表示装置を搭載した携帯機器の提供を目的としている。
【００１４】
【課題を解決するための手段】
上記の課題を解決するために、本発明の信号線駆動回路は、入力された複数の電圧から画像信号の階調に応じて出力電圧を選択し、この出力電圧を信号線駆動信号として出力する基準電圧選択回路を備えた信号線駆動回路において、外部の基準電圧供給手段から入力された第１基準電圧を前記基準電圧選択回路に直接入力する基準電圧線を備えていることを特徴としている。
【００１５】
本発明に従えば、第１基準電圧の一部が直接基準電圧選択回路に入力されるので、該直接入力される基準電圧線分についてはバッファ回路が不要である。この結果、回路面積の低減が図れると共に、不要となるバッファ回路に流れていた電流を削減でき、信号線駆動回路の省電力化が図れる。
【００１６】
本発明の信号線駆動回路は、画像信号の階調に応じ、信号線駆動回路に供給される複数の第１基準電圧に基づいて得られる電圧を選択し信号線駆動信号を出力する基準電圧選択回路を備えた信号線駆動回路において、前記第１基準電圧の少なくとも２つの電圧間を分圧して得られる第２基準電圧は、入力インピーダンスが大きく出力インピーダンスが小さいバッファ回路を介して前記基準電圧選択回路に入力されると共に、前記第１基準電圧が直接前記基準電圧選択回路に入力され、該基準電圧選択回路は入力される電圧を選択し、前記画像信号の階調に応じた信号線駆動信号を出力することを特徴としている。
【００１７】
本発明に従えば、第１基準電圧の一部が直接基準電圧選択回路に入力されるので、該直接入力される基準電圧線分についてはバッファ回路が不要である。この結果、回路面積の低減が図れると共に、不要となるバッファ回路に流れていた電流を削減でき、信号線駆動回路の省電力化が図れる。
【００１８】
本発明の信号線駆動回路は、画像信号の階調に応じ、信号線駆動回路に供給される複数の第１基準電圧に基づいて得られる電圧を選択し信号線駆動信号を出力する基準電圧選択回路を備えた信号線駆動回路において、前記第１基準電圧の少なくとも２つの電圧間を分圧して得られる第２基準電圧は、入力インピーダンスが大きく出力インピーダンスが小さいバッファ回路を介して前記基準電圧選択回路に入力されると共に、前記信号線駆動回路に供給される電源電圧の内、少なくとも前記バッファ回路に供給される電源電圧は、第１制御信号により制御される第１スイッチを介して該バッファ回路に供給され、前記基準電圧選択回路は入力される電圧を選択し、前記画像信号の階調に応じた信号線駆動信号を出力することを特徴としている。
【００１９】
本発明に従えば、バッファの電源端子と供給電源間に第１制御信号で制御される第１スイッチを配置するため、バッファ出力の基準電圧を使用しない場合、該バッファに供給される電源を遮断し、信号線駆動回路内の不要な回路部を流れる電流を削減でき、信号線駆動回路の省電力化が図れる。
【００２０】
ここで前記の不要な回路部には、バッファを構成するオペアンプ等の定電流電源の他、該定電流源を各オペアンプ中に構成せず、全バッファに共通した一つ回路（以下、バイアス回路という）で構成した場合には、該バイアス回路も含まれる。
【００２１】
上記の信号線駆動回路において、前記第１スイッチは、画像信号の階調数に応じて制御される構成としてもよい。
【００２２】
上記の構成によれば、画像信号の階調数に基づいて前記第１スイッチを制御するので、使用状況に応じ任意に信号線駆動回路の省電力の程度を選択することができる。
【００２３】
本発明の信号線駆動回路は、信号線駆動回路に供給される複数の第１基準電圧の少なくとも２つの電圧間を分圧して第２基準電圧を得る分圧回路が設けられ、画像信号の階調に応じて信号線駆動信号を出力する信号線駆動回路において、該第１基準電圧と該分圧回路間に第２制御信号により制御される第２スイッチを設けたことを特徴としている。
【００２４】
本発明に従えば、第２基準電圧を得る分圧回路に供給する第１基準電源と該分圧回路間に第２制御信号で制御される第２スイッチを配置するため、分圧回路で作成する第２基準電圧を使用しない場合、該分圧回路に供給される第１基準電圧を遮断し該分圧回路に流れる不要な電流を削減できるため、信号線駆動回路の省電力化が図れる。
【００２５】
上記の信号線駆動回路において、前記第２スイッチは、画像信号の階調数に応じて制御される構成としてもよい。
【００２６】
上記の構成によれば、画像信号の階調数に基づいて前記第２スイッチを制御するので、使用状況に応じ任意に信号線駆動回路の省電力の程度を選択することができる。
【００２７】
本発明の信号線駆動回路は、画像信号をサンプリングするサンプリング回路と、該サンプリングされた信号に基づいて基準電圧を選択し信号線駆動信号を出力する基準電圧選択回路と、前記サンプリングされた信号に基づき前記基準電圧選択回路を制御するデコード回路とを備えた信号線駆動回路において、前記デコード回路は、第３制御信号により制御されてデコードテーブルを変更し、前記基準電圧選択回路が基準電圧を選択するパターンを変更させることを特徴としている。
【００２８】
本発明に従えば、デコードテーブルを第３制御信号により変更できるデコード回路を配置するため、画像信号の不要なビットがある場合、不要なデータバスを一定電位に固定することができるので、画像信号の階調数が少ないとき、不要なデータバスに不必要な信号が伝播しその信号変化で流れる不要な電流を削減できるため、信号線駆動回路の省電力化が図れる。
【００２９】
また、信号線駆動回路に入力される画像信号を供給する画像信号供給回路等の出力についても不要なビットに対応する信号を一定電位に固定することができるため、前記信号線駆動回路と画像信号供給回路等との間のバスライン間のカップリングによる浮遊容量を充放電する必要が無く、不要な消費電力が削減できる。
【００３０】
上記の信号線駆動回路は、前記デコード回路は、画像信号の階調数に応じて制御される構成としてもよい。
【００３１】
上記の構成によれば、画像信号の階調数に基づいて前記デコード回路を制御するので、使用状況に応じ任意に信号線駆動回路の省電力の程度を選択することができる。
【００３２】
本発明の信号線駆動回路は、画像信号をサンプリングするサンプリング回路と、信号線駆動回路に供給される複数の第１基準電圧の少なくとも２つの電圧間を分圧して第２基準電圧を得る分圧回路と、該第１基準電圧に基づいて得られる電圧を選択し信号線駆動信号を出力する基準電圧選択回路とを備え、該第２基準電圧は入力インピーダンスが大きく出力インピーダンスが小さいバッファ回路を介して前記基準電圧選択回路に入力され、該基準電圧選択回路は入力される電圧を選択し、前記サンプリングされた信号に基づき前記基準電圧選択回路を制御するデコード回路を備え、サンプリングされた信号の階調に応じた信号線駆動信号を出力する信号線駆動回路において、前記バッファ回路ヘの電源を遮断する第１スイッチ、前記第１基準電圧と該分圧回路との間に設置され該分圧回路へ供給される該基準電圧を遮断する第２スイッチ、またはデコードテーブルを変更し前記基準電圧選択回路が基準電圧を選択するパターンを変更させるデコード回路の少なくとも一つを備え、画像信号の階調数に応じ前記第１スイッチ、第２スイッチまたはデコード回路のデコードテーブルの少なくとも一つが遮断または導通の制御をされるかまたはデコードテーブルが変更されることを特徴としている。
【００３３】
本発明に従えば、バッファの電源端子と供給電源間に配置された第１制御信号で制御される第１スイッチ、第２基準電圧を得る分圧回路に供給する第１基準電源と該分圧回路間に配置された第２制御信号で制御される第２スイッチ、または階調基準電圧選択回路を制御するデコード回路のデコードテーブルを第３制御信号で制御できるデコード回路の少なくとも一つを備え、前記第１スイッチ、第２スイッチまたはデコード回路の少なくとも一つが画像信号の階調数に応じ制御されるので、信号線駆動回路の省電力化が図れる。
【００３４】
更にもし前記第１スイッチ、第２スイッチおよびデコード回路全てを備え、画像信号の階調数に応じ前記第１スイッチ、第２スイッチおよびデコード回路の全てを制御すれば、より大きな信号線駆動回路の省電力化が図れる。
【００３５】
本発明の信号線駆動回路は、画像信号をサンプリングするサンプリング回路と、信号線駆動回路に供給される複数の第１基準電圧の少なくとも２つの電圧間を分圧して第２基準電圧を得る分圧回路と、該第１基準電圧に基づいて得られる電圧を選択し信号線駆動信号を出力する基準電圧選択回路とを備え、該第２基準電圧は入力インピーダンスが大きく出力インピーダンスが小さいバッファ回路を介して前記基準電圧選択回路に入力され、該基準電圧選択回路は入力される電圧を選択し、前記サンプリングされた信号に基づき前記基準電圧選択回路を制御するデコード回路を備え、前記サンプリングされた信号の階調に応じた信号線駆動信号を出力する信号線駆動回路において、前記バッファ回路ヘの電源を遮断する第１スイッチ、前記第１基準電圧と該分圧回路間に設置され該分圧回路へ供給される該基準電圧を遮断する第２スイッチ、およびデコードテーブルを変更し、前記基準電圧選択回路が基準電圧を選択するパターンを変更させることができるデコード回路を備え、前記画像信号の階調数が前記第１基準電圧の数以下の場合、前記第１スイッチおよび第２スイッチが共に遮断され、かつデコード回路のデコードテーブルが画像信号の階調数に対応したデコードテーブルとなることを特徴としている。
【００３６】
本発明に従えば、バッファの電源端子と供給電源間に配置された第１制御信号で制御される第１スイッチ、第２基準電圧を得る分圧回路に供給する第１基準電１源と該分圧回路間に配置された第２制御信号で制御される第２スイッチ、および階調基準電圧選択回路を制御するデコード回路のデコードテーブルを第３制御信号で制御できるデコード回路を備え、前記第１スイッチ、第２スイッチまたはデコード回路が画像信号の階調数に応じ制御され、画像信号の階調数が前記第１基準電圧の数以下の場合、第１スイッチおよび第２スイッチが共に遮断され、かつデコード回路が有効な画像信号に対応するビットのみで有効なデコードテーブルとなるので、使用状況に応じ任意に信号線駆動回路の省電力の程度を選択することができ、画像信号の階調数が第１基準電圧の数より多い場合より信号線駆動回路の省電力化が大いに図れる。
【００３７】
本発明の画像表示装置は、マトリクス状に配置された画素と、前記画素に接続された複数の信号線と、前記画素に接続された複数の走査線と、該走査線に走査信号を出力し垂直走査を行う走査信号線駆動回路と、供給される複数の第１基準電圧に基づいて得られる電圧を画像信号の階調に応じて選択し出力する基準電圧選択回路を有し、前記信号線に信号線駆動信号を供給する信号線駆動回路とを備えた画像表示装置において、前記第１基準電圧の少なくとも２つの電圧間を分圧して得られる第２基準電圧は、入力インピーダンスが大きく出力インピーダンスが小さいバッファ回路を介して前記基準電圧選択回路に入力されると共に、前記第１基準電圧が直接前記基準電圧選択回路に入力され、該基準電圧選択回路は入力される電圧を選択し、前記画像信号の階調に応じた信号線駆動信号を出力することを特徴としている。
【００３８】
本発明に従えば、第１基準電圧の一部が直接基準電圧選択回路に入力されるので、該直接入力される基準電圧線はバッファが不要であり回路面積の低減が図れると共に、不要バッファに流れていた電流を削減できる信号線駆動回路の省電力化が図れ、該信号線駆動回路を備えた画像表示装置の省電力化が図れる。
【００３９】
本発明の画像表示装置は、マトリクス状に配置された画素と、前記画素に接続された複数の信号線と、前記画素に接続された複数の走査線と、該走査線に走査信号を出力し垂直走査を行う走査信号線駆動回路と、供給される複数の第１基準電圧に基づいて得られる電圧を画像信号の階調に応じて選択し出力する基準電圧選択回路を有し、前記信号線に信号線駆動信号を供給する信号線駆動回路とを備えた画像表示装置において、前記第１基準電圧の少なくとも２つの電圧間を分圧して得られる第２基準電圧は、入力インピーダンスが大きく出力インピーダンスが小さいバッファ回路を介して前記基準電圧選択回路に入力されると共に、前記信号線駆動回路に供給される電源電圧の内、少なくとも前記バッファ回路に供給される電源電圧は、第１制御信号により制御される第１スイッチを介して該バッファに供給され、前記基準電圧選択回路は入力される電圧を選択し、前記画像信号の階調に応じた信号線駆動信号を出力することを特徴としている。
【００４０】
本発明に従えば、バッファの電源端子と供給電源間に第１制御信号で制御される第１スイッチを配置するため、バッファ出力の基準電圧を使用しない場合、該バッファに供給される電源を遮断し、信号線駆動回路内の不要な回路部を流れる電流を削減でき、信号線駆動回路の省電力化が図れ、該信号線駆動回路を備えた画像表示装置の省電力化が図れる。
【００４１】
ここで前記の不要な回路部には、バッファを構成するオペアンプ等の定電流電源の他、該定電流源を各オペアンプ中に構成せず、全バッファに共通した一の回路（以下、バイアス回路という）で構成した場合には、該バイアス回路も含まれる。
【００４２】
本発明の画像表示装置は、マトリクス状に配置された画素と、前記画素に接続された複数の信号線と、前記画素に接続された複数の走査線と、該走査線に走査信号を出力し垂直走査を行う走査信号線駆動回路と、供給される複数の第１基準電圧の少なくとも２つの電圧間を分圧して第２基準電圧を得る分圧回路が設けられ、画像信号の階調に応じて選択し出力する基準電圧選択回路を有し、前記信号線に信号線駆動信号を供給する信号線駆動回路とを備えた画像表示装置において、該第１基準電圧と該分圧回路間に第２制御信号により制御される第２スイッチを設けたことを特徴としている。
【００４３】
本発明に従えば、第２基準電圧を得る分圧回路に供給する第１基準電源と該分圧回路間に第２制御信号で制御される第２スイッチを配置するため、分圧回路で作成する第２基準電圧を使用しない場合、該分圧回路に供給される第１基準電圧を遮断し該分圧回路に流れる不要な電流を削減できるため、信号線駆動回路の省電力化が図れ、該信号線駆動回路を備えた画像表示装置の省電力化が図れる。
【００４４】
本発明の画像表示装置は、マトリクス状に配置された画素と、前記画素に接続された複数の信号線と、前記画素に接続された複数の走査線と、該走査線に走査信号を出力し垂直走査を行う走査信号線駆動回路と、画像信号をサンプリングするサンプリング回路、画像信号の階調に応じて選択し出力する基準電圧選択回路および該サンプリングされた信号に基づき基準電圧選択回路を制御するデコード回路を有し、前記基準電圧選択回路が前記信号線に信号線駆動信号を供給する信号線駆動回路とを備えた画像表示装置において、前記デコード回路は、第３制御信号により制御されてデコードテーブルを変更し、前記基準電圧選択回路が基準電圧を選択するパターンを変更することを特徴としている。
【００４５】
本発明に従えば、デコードテーブルを第３制御信号により変更できるデコード回路を配置するため、画像信号の不要なビットがある場合、不要なデータバスを一定電位に固定することができるので、画像信号の階調数が少ないとき、不要なデータバスに不必要な信号が伝播しその信号変化で流れる不要な電流を削減できるため、液晶表示装置の省電力化が図れる。
【００４６】
また、信号線駆動回路に入力される画像信号を供給する画像信号供給回路等の出力についても不要なビットに対応する信号を一定電位に固定することができるため、前記信号線駆動回路と画像信号供給回路等との間のバスライン間のカップリングによる浮遊容量を充放電する必要が無く、不要な消費電力が削減できる。
【００４７】
本発明の画像表示装置は、マトリクス状に配置された画素と、前記画素に接続された複数の信号線と、前記画素に接続された複数の走査線と、該走査線に走査信号を出力し垂直走査を行う走査信号線駆動回路と、供給される複数の第１基準電圧の少なくとも２つの電圧間を分圧して第２基準電圧を得る分圧回路、電圧を画像信号の階調に応じて選択し出力する基準電圧選択回路、画像信号をサンプリングするサンプリング回路および前記サンプリングされた信号に基づき前記基準電圧選択回路を制御するデコード回路を有し、前記第２基準電圧は入力インピーダンスが大きく出力インピーダンスが小さいバッファ回路を介して前記基準電圧選択回路に入力され、該基準電圧選択回路は入力される電圧を選択し、前記サンプリング回路にてサンプリングされた信号の階調に応じた信号線駆動信号を前記信号線に供給する信号線駆動回路とを備えた画像表示装置において、前記バッファ回路ヘの電源を遮断する第１スイッチ、前記第１基準電圧と該分圧回路との間に設置され該分圧回路へ供給される該基準電圧を遮断する第２スイッチ、またはデコードテーブルを変更し、前記基準電圧選択回路が基準電圧を選択するパターンを変更させるデコード回路の少なくとも一つを備え、画像信号の階調数に応じ前記第１スイッチ、第２スイッチまたはデコード回路のデコードテーブルの少なくとも一つが遮断または導通の制御をされるかまたはデコードテーブルが変更されることを特徴としている。
【００４８】
本発明に従えば、バッファの電源端子と供給電源間に配置された第１制御信号で制御される第１スイッチ、第２基準電圧を得る分圧回路に供給する第１基準電源と該分圧回路間に配置された第２制御信号で制御される第２スイッチ、または階調基準電圧選択回路を制御するデコード回路のデコードテーブルを第３制御信号で制御できるデコード回路の少なくとも一つを備え、前記第１スイッチ、第２スイッチまたはデコード回路の少なくとも一つが画像信号の階調数に応じ制御されるので、画像表示装置の省電力化が図れる。更にもし前記第１スイッチ、第２スイッチおよびデコード回路全てを備え、画像信号の階調数に応じ前記第１スイッチ、第２スイッチおよびデコード回路の全てを制御すれば、より大きな画像表示装置の省電力化が図れる。
【００４９】
本発明の画像表示装置は、マトリクス状に配置された画素と、前記画素に接続された複数の信号線と、前記画素に接続された複数の走査線と、該走査線に走査信号を出力し垂直走査を行う走査信号線駆動回路と、供給される複数の第１基準電圧の少なくとも２つの電圧間を分圧して第２基準電圧を得る分圧回路、電圧を画像信号の階調に応じて選択し出力する基準電圧選択回路、画像信号をサンプリングするサンプリング回路および前記サンプリングされた信号に基づき前記基準電圧選択回路を制御するデコード回路を有し、前記第２基準電圧は入力インピーダンスが大きく出力インピーダンスが小さいバッファ回路を介して前記基準電圧選択回路に入力され、該基準電圧選択回路は入力される電圧を選択し、前記サンプリング回路にてサンプリングされた信号の階調に応じた信号線駆動信号を前記信号線に供給する信号線駆動回路とを備えた画像表示装置において、前記バッファ回路ヘの電源を遮断する第１スイッチ、前記第１基準電圧と該分圧回路との間に設置され該分圧回路へ供給される該基準電圧を遮断する第２スイッチ、およびデコードテーブルを変更し、前記基準電圧選択回路が基準電圧を選択するパターンを変更させることができるデコード回路を備え、前記画像信号の階調数が前記第１基準電圧の数以下の場合、前記第１スイッチおよび第２スイッチが共に遮断され、かつデコード回路のデコードテーブルが画像信号の階調数に対応したデコードテーブルとなることを特徴としている。
【００５０】
本発明に従えば、バッファの電源端子と供給電源間に配置された第１制御信号で制御される第１スイッチ、第２基準電圧を得る分圧回路に供給する第１基準電源と該分圧回路間に配置された第２制御信号で制御される第２スイッチ、および階調基準電圧選択回路を制御するデコード回路のデコードテーブルを第３制御信号で制御できるデコード回路を備え、前記第１スイッチ、第２スイッチまたはデコード回路が画像信号の階調数に応じ制御され、画像信号の階調数が前記第１基準電圧の数以下の場合、第１スイッチおよび第２スイッチが共に遮断され、かつデコード回路が有効な画像信号に対応するビットのみで有効なデコードテーブルとなるので、使用状況に応じ任意に画像表示装置の省電力の程度を選択することができ、画像信号の階調数が第１基準電圧の数より多い場合より画像表示装置の省電力化が大いに図れる。
【００５１】
上記の画像表示装置は、前記画像信号の階調数の変化に応じ、前記第１スイッチ、第２スイッチまたはデコード回路の少なくとも一つを制御し、駆動モードを任意に切り替える設定回路を有する構成としてもよい。
【００５２】
上記の構成によれば、画像信号の階調数により前記信号線駆動回路に備えられた前記第１スイッチ、第２スイッチおよび／またはデコード回路を、使用状況に応じ任意に制御できる設定回路を備えているので、駆動モードを任意に切り替えることができ、使用状況に応じて画像表示装置の省電力化が図れる。
【００５３】
本発明の携帯機器は、画像表示装置を有する携帯機器において、上記何れかの画像表示装置が搭載されていることを特徴としている。
【００５４】
上記の構成によれば、携帯機器は、前記画像表示装置が搭載されているので、該携帯機器の使用者が使用する状況、表示する画像信号の種類等により携帯機器の画像表示装置の駆動モードを変更し、必要に応じた省電力化が図れ、携帯機器のバッテリの使用時間を延ばすことができる。
【００５５】
【発明の実施の形態】
〔実施の形態１〕
本発明の実施の一形態を図１および図２に基づいて以下に説明する。
図１は、本発明の実施の一形態を示す信号線駆動回路１１の回路図である。また、図２は、上記信号線駆動回路１１を備えた、本発明の実施の一形態を示す画像表示装置としてのアクティブマトリクス型液晶表示装置１のブロック図である。
【００５６】
図２に示すように、アクティブマトリクス型液晶表示装置１（以下、単に液晶表示装置１と称する）には、外部電源回路２および画像信号供給回路３が接続される。外部電源回路２は、液晶表示装置１を駆動するための電源を供給する回路であり、外部基準電源回路（基準電圧供給手段）１２、信号線駆動回路１１およびその他の回路に電圧を供給する。画像信号供給回路３は、液晶表示装置１に表示する画像信号を供給する回路である。上記画像信号（Ｒ０〜Ｒ５等）は、タイミング調整を行なうラッチ回路１３を介して信号線駆動回路１１に供給される。また、信号線駆動回路１１には、後述のように、設定回路（制御手段）１４から制御信号ＳＣ１〜ＳＣ３が入力される。
【００５７】
さらに、液晶表示装置１では、信号線駆動回路１１に複数の信号線１８が接続され、走査線駆動回路１５に複数の走査線１９が接続されている。また、画素電極１６がマトリクス状に配置され、各画素電極１６にはＴＦＴ１７（Thin Film Transistor) 等のアクティブ素子を介して信号線１８と走査線１９とが接続されている。これら複数の信号線１８と複数の走査線１９とは第１透明基板２０上に備えられている。この第１透明基板２０と対向する位置に配置された第２透明基板（図示せず）には対向電極（図示せず）が備えられ、第１透明基板２０と第２透明基板との間には液晶（図示せず）が封入されている。
【００５８】
次に、図１に示した信号線駆動回路１１の構成について説明する。
３１は液晶表示装置１に表示される画像信号の入力端子である。図１では、画像信号が赤（Ｒ）、緑（Ｇ）、青（Ｂ）で各６ビット（Ｒ０等）の場合を示している。３２はサンプリング・ラッチ回路であり、前記画像信号をサンプリングしてラッチし、次段のデコード回路３３を制御する信号を出力する。３３はデコード回路であり、前紀サンプリング・ラッチ回路３２でサンプリングされた画像信号の階調に基づいて、画像信号を次段の基準電圧選択回路３４を制御する信号に、デコードテーブルを用いて変換する。３４は基準電圧選択回路であり、入力される基準電圧をデコード回路３３の出力に基づいて選択する。
【００５９】
３５は分圧回路であり、外部基準電源回路１２から入力される第１基準電圧ＶＢ１をラダー抵抗３６等で分圧する。この分圧回路３５で第１基準電圧ＶＢ１を分圧して得られた電圧が第２基準電圧ＶＢ２となる。この第２基準電圧ＶＢ２は入力インピーダンスが大きく出力インピーダンスが小さいバッファ回路３７を介して前記基準電圧選択回路３４に入力され、基準電圧選択回路３４にて選択される基準電圧となる。基準電圧選択回路３４の出力は、出力端子３８に出力される。出力端子３８は、図２に示した信号線１８に接続され、その出力信号により信号線１８を駆動する。なお、図１においては、信号線駆動回路１１の出力本数をｎ（ｎは１以上の整数）本としている。
【００６０】
以上に挙げた構成は、前記従来の技術で説明した図４に示す信号線駆動回路１１１の構成とほぼ同一であるが、本実施の形態の信号線駆動回路１１は、さらに省電力化を図るため、以下の構成を備える。
【００６１】
各バッファ回路３７へ電源電圧を入力する電源線には、それぞれ第１スイッチ４１（第１スイッチ４１ａ、４１ｂ…）が設けられている。これら第１スイッチ４１は、対応するバッファ回路３７の電源線を個別に遮断／導通する。各第１スイッチ４１の遮断／導通は、設定回路１４から出力される第１制御信号ＣＳ１により制御される。複数のバッファ回路３７は、分圧回路３５と基準電圧選択回路３４との間に設けられ、分圧回路３５のラダー抵抗３６にて作られた第２基準電圧ＶＢ２をインピーダンス変換して基準電圧選択回路３４に供給する。
【００６２】
また、分圧回路３５に第１基準電圧ＶＢ１を供給する各電源線と各ラダー抵抗３６との間には、第２スイッチ４２（第２スイッチ４２ａ、４２ｂ…）が設けられている。これら第２スイッチ４２は、対応するラダー抵抗３６の電源線を個別に遮断／導通する。各第２スイッチ４２の遮断／導通は、設定回路１４から出力される第２制御信号ＣＳ２により制御される。
【００６３】
さらに、第１基準電圧ＶＢ１のレベルをそのまま基準電圧選択回路３４に入力される基準電圧とする場合には、前記バッファ回路３７を介することなく、第１基準電圧ＶＢ１を基準電圧選択回路３４に直接入力する。即ち、基準電圧選択回路３４（階調選択回路）に入力される基準電圧の少なくとも一つは、第１基準電圧ＶＢ１とされている（第１基準電圧ＶＢ１がそのまま使用されている）。以下、この基準電圧を直結基準電圧と称する。
【００６４】
また、信号線駆動回路１１に入力され、サンプリング・ラッチ回路３２でサンプリングされた画像信号は、次段のデコード回路３３にて基準電圧選択回路３４を制御する信号にデコードされる。デコード回路３３では、この際に使用するデコードテーブルを変更できるようになっている。以下、このような機能を可変デコードと称する。上記デコードテーブルの変更は、設定回路１４から出力される第３制御信号ＣＳ３により制御される。
【００６５】
上記のように、前記第１制御信号ＣＳ１、第２制御信号ＣＳ２および第３制御信号ＣＳ３は、設定回路１４より出力される。設定回路１４は、設定信号ＭＯにより任意に信号線駆動回路１１の駆動モードを設定、切替できる回路であり、例えば、ＣＭＯＳレベルの設定信号を入力し、その設定信号に基づいて駆動モードを選択する。そして、設定回路１４は、信号線駆動回路１１がその駆動モードに切り替わるように、前記第１制御信号ＣＳ１、第２制御信号ＣＳ２および第３制御信号ＣＳ３を信号線駆動回路１１に出力する。これら各制御信号の出力線の数は１本に限られることなく、その制御信号が制御する箇所の数により適宜決められる。したがって、各制御信号ＣＳ１、ＣＳ２、ＣＳ３の出力線は各々複数線で構成する場合もある。
【００６６】
また、前記設定信号ＭＯのレベルは、ＣＭＯＳレベルにこだわることなくＴＴＬレベルでもよく、また、差動入力形式としてもよい。さらに前記設定信号ＭＯは、パラレル信号形式であってもよく、また、信号線の本数を削減するためにシリアル信号形式としてもよい。即ち、液晶表示装置１には、前記設定信号ＭＯ以外にも画像を表示するための画像信号やクロック（図示せず）等が入力されるため、これらの信号との組合わせにより前記シリアル信号形式とすることも可能である。なお、図２の構成において、設定回路１４は、信号線駆動回路１１の外部に設けられているが、信号線駆動回路１１の内部に集積することも可能である。
【００６７】
また、本信号線駆動回路１１においては、前記４個の要素である、第１スイッチ４１、第２スイッチ４２、直結基準電圧、あるいは可変デコードの少なくとも１個の要素を含んでいれば良く、例えばこれらのうちの任意の２ないし４個の要素を含んでいてもよい。前記４要素の中でどの要素を信号線駆動回路１１の構成要素とするかは、信号線駆動回路１１の回路規模（チップ面積）、所望の電力低減量、画像信号の階調数、または画像表示装置の駆動モードの種類等により適宜選択すればよい。次に上記各要素の動作を順次説明する。
【００６８】
まず、第１スイッチ４１は、信号線駆動回路１１内で前記バッファ回路３７への電源線を遮断／導通し、出力電圧が必要なバッファ回路３７にのみに電源を供給する。前記電源線へは、図２に示す電源線ＰＷを通じて外部電源回路２から電源電圧が供給される。このような構成により、表示するビット数が減少したために使用しなくなったバッファ回路３７への電源供給を個々に遮断することができる。この結果、信号線駆動回路１１は、必用最小限の電力で駆動が可能となり省電力化が実現できる。
【００６９】
図１には、第１基準電圧ＶＢ１が４種類（ＶＢ１max 、ＶＢ１min 、ＶＢ１max とＶＢ１min との間のＶＢ１×２）入力され、最大６４階調表示ができる場合の信号線駆動回路１１を例示している。この構成において、例えば画像信号の階調数が４（２ビット）以下の場合、信号線駆動回路１１の外部（外部基準電源回路１２）から第１基準電圧が４種類入力されているので、前記第１スイッチ４１を遮断して全てのバッファ回路３７に電源電圧を供給しない状態にしても表示には影響せず、かつバッファ回路３７での消費電流（消費電力）を削減できる。
【００７０】
また、図１において、例えば画像信号数が８（３ビット）の場合には、外部（外部基準電源回路１２）から第１基準電圧が４種類入力されているので、残りの４階調分を分圧回路３５で作成した第２基準電圧ＶＢ２で賄えばよい。したがって、バッファ回路３７についても４個のバッファ回路３７のみに電源電圧を供給すべく第１スイッチ４１を導通すれば良く、残りの５６個のバッファ回路３７ヘの電源電圧は遮断することができる。この結果、バッファ回路３７のみに関してみれば、全てのバッファ回路３７を動作させる場合と比較して、消費電流が約１／１５（＝４／６０）となる。特に、携帯機器では常に６４（６ビット）階調表示をする必要がなく、文字等のキャラクター表示の場合には前記４階調表示でも充分情報伝達が可能である。
【００７１】
仮に表示する画像を切り替えて映像を表示する場合、第１スイッチ４１を導通とすることにより６４（６ビット）階調表示ができる。６４階調表示とすると、前記４階調表示の場合より消費電力量は多くなるものの、このような表示は短時間に多くの情報を取得したい場合のものであり、６４階調表示が長く続くことはない。また、６４階調表示では、表示部以外の部分もフルに稼働している状態であり、携帯機器全体に占める表示部の消費電力量が特に多くなることもない。したがって、信号線駆動回路１１、即ち液晶表示装置１では、使用する状況に応じて省電力への切り替えが可能であることは非常に有用である。
【００７２】
次に、第２スイッチ４２について説明する。図１に示す第２スイッチ４２は、分圧回路３５に供給する第１基準電圧ＶＢ１の基準電圧線（電圧供給線）３９と分圧回路３５を構成するラダー抵抗３６との間に設置されている。通常、第１基準電圧ＶＢ１の種類の数（基準電圧線３９の数）は、信号線駆動回路１１で必要とされる基準電圧の種類の数よりも少ない。これは、仮に信号線駆動回路１１で必要とされる基準電圧の種類全てを第１基準電圧ＶＢ１で供給すると、信号線駆動回路１１へ供給する基準電圧線３９の本数が非常に多くなり配線が困難となるからである。
【００７３】
例えば、図１に示す６４（６ビット）階調表示の場合、仮に第１基準電圧ＶＢ１用として６４本もの基準電圧線３９を配線すると、画像表示装置（液晶表示装置１）自体が大きくなる。このため、携帯機器のように小型化が要求される装置では実現困難である。したがって、図１に示すように、画像信号が６４階調（６ビット）の場合、第１基準電圧ＶＢ１の基準電圧線３９は４本程度にとどめ、残りの６０階調分は、第１基準電圧ＶＢ１に基づき分圧回路３５にて作成した第２基準電圧ＶＢ２にて補う。
【００７４】
分圧回路３５は、本実施の形態においてラダー抵抗３６で構成され、その抵抗比で第２基準電圧ＶＢ２を作成している。基本的には第１基準電圧ＶＢ１の最大電圧ＶＢ１max と最小電圧ＶＢ１min との２種の電圧から作成することができる。この場合、第２基準電圧ＶＢ２の値は必ずしも所望の値とはならない。それは前記２種の電圧から分圧比のみで第２基準電圧ＶＢ２を作ると、電圧レベルの微調整ができないからである。この問題に対処するため、第１基準電圧ＶＢ１として２種以上の電圧を入力する。即ち、最大電圧値ＶＢ１max と最小電圧値ＶＢ１min との間の電圧（最大最小間電圧）の２種類（異なる２値の電圧）以上を、第１基準電圧ＶＢ１として入力する。
【００７５】
図１の構成では、前記最大最小間電圧の第１基準電圧ＶＢ１として２種類の基準電圧ＶＢ１を入力し、第１基準電圧ＶＢ１として計４種類の電圧を分圧回路３５に供給する。このようにすると、さらに所望の値の第２基準電圧ＶＢ２を得易くなる。第１基準電圧ＶＢ１の前記最大最小間電圧の数は、図１に示した２種に限らず、機器により適宜選択すればよく、その数が仮に０であっても機器によっては使用可能な場合もある。
【００７６】
信号線駆動回路１１では、前記の各第１基準電圧ＶＢ１を供給する基準電圧線３９と前記分圧回路３５の各ラダー抵抗３６との間に、前記第２スイッチ４２が図１に示すように設置されている。特に、最大電圧値ＶＢ１max を供給する基準電圧線３９とラダー抵抗３６との間に設置する第２スイッチ４２（第２スイッチ４２ａ）、および最小電圧値ＶＢ１min を供給する基準電圧線３９とラダー抵抗３６との間に設置する第２スイッチ４２（第２スイッチ４２ｂ）は、次の理由により省電力化に有効である。
【００７７】
即ち、異なる第１基準電圧ＶＢ１（基準電圧線３９）間には電位差が存在するため、分圧回路３５には電流が流れることになる。この電流は、分圧回路３５にて生成する第２基準電圧ＶＢ２を液晶の表示用電圧として使用する場合には必要である一方、使用しない場合には不要である。そこで、スイッチ回路４２ａ〜４２ｆにより上記電流の通電／遮断を制御すれば、消費電力を低減することができる。この場合、最大電圧値ＶＢ１max および最小電圧値ＶＢ１min は、分圧回路３５に対して必ず入力される電圧であるから、これら電圧を供給する基準電圧線３９とラダー抵抗３６との間に設置される第２スイッチ４２ａ、４２ｂは、省電力化に有効なものであり、重要なものとなっている。
【００７８】
仮に第１基準電圧ＶＢ１が最大電圧値ＶＢ１max と最小電圧値ＶＢ１min との２種のみであった場合、前記第２スイッチ４２ａおよび４２ｂは必須となる。また、最大電圧値ＶＢ１max および最小電圧値ＶＢ１min 以外の最大最小間電圧の第１基準電圧ＶＢ１を供給する基準電圧線３９とラダー抵抗３６との間の第２スイッチ４２ｃ、４２ｄ、４２ｅ、４２ｆも省電力化に寄与する。
【００７９】
これら第２スイッチ４２を制御する第２制御信号ＣＳ２は、画像信号の階調数に応じて各第２スイッチ４２の遮断／導通を制御する。この場合、ラダー抵抗３６へ第１基準電圧ＶＢ１の基準電圧線３９から流れる電流経路を遮断するように、第２スイッチ４２ａおよび４２ｂを個別に制御してもよい。
【００８０】
例えば、図１の構成において、画像信号の階調数が４のとき、第２スイッチ４２ｃ〜４２ｆのみを遮断してもラダー抵抗３６に流れる電流を遮断することができる。また、第２スイッチ４２ａおよび４２ｂのみを遮断したときも、第１基準電圧ＶＢ１の最大最小間電圧の基準電圧線３９同士間には、一部電流がラダー抵抗３６を介して流れる。しかしながら、第１基準電圧ＶＢ１の最大電圧値ＶＢ１max の基準電圧線３９と最小電圧値ＶＢ１min の基準電圧線３９との間には、ラダー抵抗３６を介して電流が流れないため、省電力化に寄与する。もちろん、第１基準電圧ＶＢ１が最大電圧値ＶＢ１max と最小電圧値ＶＢ１min との２種類のみのときには、第２スイッチ４２ａおよび４２ｂを遮断してラダー抵抗３６に流れる電流を削減し、信号線駆動回路１１の省電力化を図る。
【００８１】
次に、第１基準電圧ＶＢ１のレベルをそのまま基準電圧選択回路３４に入力する、直結基準電圧構成について説明する。
信号線駆動回路１１に入力される第１基準電圧ＶＢ１は、その電圧値そのものが基準電圧選択回路３４に入力される基準電圧となる。第１基準電圧ＶＢ１は、外部基準電源回路４から供給されるため、該電圧をインピーダンスの低い電圧源とすることによって、前記バッファ回路３７を介さず直接基準電圧選択回路３４に入力した場合にも、負荷の変化に対する電圧変動が少なく、画像表示に影響を与えることはない。したがって、直結基準電圧構成を有する信号線駆動回路１１では、外部基準電源回路４から基準電圧選択回路３４へ直接入力される第１基準電圧ＶＢ１の数だけバッファ回路３７を削減でき、省電力化と省スペースに寄与する。
【００８２】
また、仮に２階調表示をする場合、第１基準電圧ＶＢ１の最大電圧値ＶＢ１max および最小電圧値ＶＢ１min のみが必要であり、第１基準電圧ＶＢ１の前記最大最小間電圧は必要ない。したがって、この場合には外部基準電源回路１２からの前記最大最小間電圧に基づく第２基準電圧ＶＢ２を出力するバッファ回路３７の動作を停止することにより、消費電力をシステムとしてさらに低減することができる。また、第１基準電圧ＶＢ１の前記最大最小間電圧を外部基準電源回路４から入力しないようにすれば、第２スイッチ４２ｄおよび４２ｅを設置しなかった場合でもラダー抵抗３６に流れる電流を削減して省電力化が図れる。
【００８３】
次に可変デコード構成を有するデコード回路３３について説明する。
デコード回路３３は、前段のサンプリング・ラッチ回路３２でサンプリングされたデータ（サンプリングデータ）を、次段の基準電圧選択回路３４を制御する信号（制御信号）に変換する機能を有する。この点に関しては、従来の構成を示す図４におけるデコード回路１１４と同様である。しかしながら、本実施の形態のデコード回路３３は、前記制御信号への前記サンプリングデータの変換形式を第３制御信号ＣＳ３により切り替えられる機能を有する点でデコード回路１１４と相違する。具体的には、信号変換に用いる変換用のデコードテーブルを第３制御信号により切り替えられる構成（可変デコード）となっている。
【００８４】
例えば、画像信号が６４階調（６ビット）の信号であった場合（以下、６ビットモードと称する）、デコードテーブルでの変換関係は、表１のようになる。表１では、一例として、画像信号Ｒ０〜Ｒ５の６ビットの信号が入力され、この画像信号の階調数が順次変化するに従ってデコード回路３３の次段の基準電圧選択回路３４を制御し、信号線駆動回路１１が出力する信号電圧（以下、信号線駆動信号と称する）を変化させる様子を示す。
【００８５】
この場合、第１基準電圧ＶＢ１として信号線駆動回路１１に入力される電圧を順番にＶ０、Ｖ１、Ｖ２、Ｖ３の４種類としており、基準電圧選択回路３４は、この第１基準電圧ＶＢ１および第１基準電圧ＶＢ１を分圧して得られた電圧（表中の出力電圧の欄には、電圧の差と分数の積とで示す）を用いて信号線駆動信号を出力する。
【００８６】
なお、図１では、デコード回路３３と、基準電圧選択回路３４との間の制御信号線を１本の線で示している。しかしながら、この線は、対応する基準電圧選択回路３４のスイッチを駆動させるビット数分存在することを意味しており、必ずしも制御信号線が１本であるとは限らない。このように、６４階調を表示する場合には、信号線駆動信号も６４種類出力され、画像信号の階調数に対応する画像表示ができる。
【００８７】
【表１】
0003832627.tif 000002
【００８８】
次に、画像信号がグラフィック表示の場合のように、階調数が１６階調（４ビット）となった場合（以下、４ビットモードと称する）のデコード回路３３におけるデコードテーブルの変換関係を表２に示す。これは、デコードテーブルの変換形式を画像信号の階調数に応じて切り替えた場合のものである。この場合、入力される画像信号のバスライン数は、前記６ビットモードの場合と同様６本であるが、画像信号の下位２ビット、即ち画像信号の下位２ビットに対応するバスラインの信号は０または１に固定されている。ここでは０に固定されている場合を示す。したがって、階調表現は上位４ビットを使用して行なわれる。
【００８９】
このように階調変化に必要なビットに対応するバスライン（この場合は上位４ビット）にのみ信号変化を伝え、残りのビットに対応するバスライン（この場合は下位２ビット）は、０に固定することで、前記バスライン信号（この場合下位２ビットに対応するバスライン信号）間のカップリングによる浮遊容量を充放電させる必要が無くなり、不要な消費電力を削減できる。
【００９０】
仮にデコードテーブルが表１のままで１６階調（４ビット）表示を行なった場合、下位２ビットの部分も信号変化することになり、前記浮遊容量の充放電が全バスラインに渡って生じる。このため、階調数を下げただけでは省電力効果が不十分である。
【００９１】
上記のように、デコード回路３３では、デコードテーブルを階調数に合わせて切り替えるので、より多くの省電力効果を得ることができる。
【００９２】
【表２】
0003832627.tif 000003
【００９３】
さらに、画像信号の階調数が、文字表示の場合のように、２階調（１ビット）となった場合（以下、１ビットモードと称する）のデコードテーブルの変換関係を表３に示す。これは、同様に、デコードテーブルの変換形式を画像信号の階調数に応じて切り替えた場合のものである。この場合、入力される画像信号のバスライン数は、前記１３ビットモードの場合と同様６本であるが、画像信号の下位５ビット、即ち画像信号の下位５ビットに対応するバスラインの信号は０または１に固定されている。ここでは０に固定されている場合を示す。したがって、階調表現は上位１ビットを使用して行なわれる。
【００９４】
このように、階調変化に必要なビットに対応するバスライン（この場合は上位１ビット）にのみ信号変化を伝え、残りのビットに対応するバスライン（この場合は下位５ビット）は、０に固定することで、前記バスライン信号（この場合、下位５ビットに対応するバスライン信号）間のカップリングによる浮遊容量を充放電させる必要が無くなり、不要な消費電力を削減できる。
【００９５】
【表３】
0003832627.tif 000004
【００９６】
前記の通り、本実施の形態の信号線駆動回路１１では、デコード回路３３において可変デコードを行うことにより、大きな省電力効果を奏する。デコードテーブルの変換方法は、メモリにソフトウエアで書き込んでも良いし、また、ある程度各種の仕様が決定されていれば、デコード回路の一部としてハードウエアで作成しても良い。さらに、本実施の形態では、最大階調数がＲ０〜Ｒ５の６ビットの場合を例示したが、もちろん仕様により最大階調数を８ビットにしたり、４ビットにしても良く、デコードテーブルの数も本例のように３種類に限る必要はない。また、赤、緑、青の信号において、それぞれ異なったデコードテーブルにすることも可能であり、微妙な階調表現を制御することもできる。
【００９７】
また、前記第３制御信号ＣＳ３は、原則として信号線駆動回路１１に入力される画像信号の階調数に対応して制御されるが、必ずしも画像信号の階調数に対応しなくてもよい。例えば、信号線駆動回路１１に入力される画像信号が１６階調（４ビット）の場合、省電力を希望し、かつ画像をラフにさえ確認できればよい場合には、デコードテーブルを前記表３の変換形式に切り替えて強制的に２階調表示とすることもできる。この場合、省電力効果の程度は若干下がるものの、なお省電力効果を得ることができる。これは、表示する画像が文字のようなキャラクタが多い画像である場合等に有効である。このような駆動方式によれば、省電力化が図れるとともに表示内容も所望の程度で認識することができる。
【００９８】
デコードテーブルの変換形式の切り替えのための制御信号ＣＳ１〜ＣＳ３は、設定回路１４が出力する。この設定回路１４には数種類の設定信号ＭＯが入力される。これら設定信号ＭＯは信号線駆動回路１１の省電力のための前記各駆動モードを任意に設定するための信号である。設定信号ＭＯはパラレルで入力されてもよく、また、設定信号線の本数を削減するために、シリアルで入力されてもよい。
【００９９】
設定回路１４は一般的な論理回路等で構成され、また、設定回路１４に入力する設定信号ＭＯも論理信号とするのが一般的である。設定回路１４内の回路構成は、設計的な事項として各信号線駆動回路１１を設計する際に省電力化の規模を考慮して検討されるが、少なくとも入力される前記設定信号ＭＯをラッチする手段を設けることが望ましい。例えば垂直ブランキング期間中にラッチすることにより、一時的な異常表示を防止できる。また、設定回路１４は信号線駆動回路１１に内蔵する構成としてもよいが信号線駆動回路１１の外部に構成してもよい。
【０１００】
〔実施の形態２〕
本発明の実施の他の形態を以下に説明する。ここでは、前記実施の形態１で説明した信号線駆動回路１１を画像表示装置等に用いた応用例について説明する。
【０１０１】
図２は、本実施の形態の画像表示装置としての液晶表示装置１の構成図である。信号線駆動回路１１の内部構成は前記実施の形態１で説明したとおりである。また、液晶表示装置１は、前記実施の形態１で一部説明したように、信号線駆動回路１１の省電力化の程度を決める駆動モードを任意に選択できる設定回路１４を備える。この設定回路１４の出力信号が、前記第１、第２、第３制御信号ＣＳ１、ＣＳ２、ＣＳ３となる。図２では設定回路１４を信号線駆動回路１１と分離して記載したが、両回路を一つの回路に集積することも可能である。このような構成により前記実施の形態１で説明したように信号線駆動回路１１の駆動モードを画像信号の階調数と独立して設定することができるため、駆動モードの設定変更が容易である。もちろん画像信号の階調数と設定回路１４の設定を適宜連動させることも可能である。
【０１０２】
デコード回路３３での前記可変デコードにおいて、画像信号の下位ビット、即ち画像信号の下位ビットに対応するバスラインの信号を０に固定するのは、図２示す画像信号供給回路３の出力信号（画像信号）に基づいて行われる。したがって信号線駆動回路１１と画像信号供給回路３等との間のバスライン間浮遊容量における充放電が無くなり、不要な消費電力を削減することができる。
【０１０３】
また、特にアクティブマトリクス型液晶表示装置について、従来透過型が主であった頃は、該装置に搭載されるバックライトの消費電力が大きく、信号線駆動回路１１で消費される消費電力はさほど問題とならなかった。しかしながら、近年、色再現性の優れた反射型または反射／透過両用のアクティブマトリクス型液晶表示装置が開発され、携帯機器に多く採用されている。このような表示装置では、電力消費の大きかったバックライトを搭載しないか、またはバックライトを補助的にしか使用しない。このため画像表示装置全体に占める信号線駆動回路１１での消費電力量が大きな割合を占めている。このように反射型または反射／透過両用型の画像表示装置において、本実施の形態の信号線駆動回路１１を用いて画像表示装置を構成すると、画像表示装置の省電力化が大いに図れる。また、省電力の駆動モードを任意に設定できるので、使用者にとって使いやすい。
【０１０４】
以上、アクティブマトリクス型液晶表示装置を例示して説明したが、本実施の形態の信号線駆動回路１１およびそれを用いた画像表示装置は、単純マトリクス液晶、ＥＬ、ＰＤＰその他の電子表示装置全般に使用できる。
【０１０５】
次に、本実施の形態の画像表示装置を携帯機器に応用した場合について説明する。
携帯機器は、電池等のバッテリを電源として駆動されており、該機器の表示部分として使用される画像表示装置も大いに省電力化が望まれる。本実施の形態の信号線駆動回路１１を用いた画像表示装置を前記携帯機器の表示部分に適用することにより、該携帯機器全体の省電力化が図れ、また、該機器の使用状況に応じて前記画像表示装置の省電力の程度を設定することができ、前記携帯機器のバッテリ電力消費量を全体として低減し使用時間の延長を図ることができる。
【０１０６】
このように本実施の形態に示した構成は、携帯電話、携帯端末、ＰＤＡ、携帯ゲーム機、携帯ＴＶ、リモコンおよびノートＰＣ、携帯表示器等の低消費電力が必要な携帯機器に広く使用できる。
【０１０７】
以上のように、本発明の信号線駆動回路は、入力された複数の電圧から画像信号の階調に応じて出力電圧を選択し、この出力電圧を信号線駆動信号として出力する基準電圧選択回路を備えた信号線駆動回路において、外部の基準電圧供給手段から入力された第１基準電圧を前記基準電圧選択回路に直接入力する基準電圧線を備えている構成である。
【０１０８】
本発明に従えば、第１基準電圧の一部が直接基準電圧選択回路に入力されるので、該直接入力される基準電圧線分についてはバッファ回路が不要である。この結果、回路面積の低減が図れると共に、不要となるバッファ回路に流れていた電流を削減でき、信号線駆動回路の省電力化が図れる。
【０１０９】
本発明の信号線駆動回路は、入力された複数の電圧から画像信号の階調に応じて出力電圧を選択し、この出力電圧を信号線駆動信号として出力する基準電圧選択回路を備えた信号線駆動回路において、外部の基準電圧供給手段から入力された少なくとも２つの第１基準電圧の間の電圧を分圧して第２基準電圧を生成する分圧回路と、入力インピーダンスが大きくかつ出力インピーダンスが小さく、前記第２基準電圧を入力し、かつ前記基準電圧選択回路に出力するバッファ回路と、前記基準電圧供給手段から入力された第１基準電圧を前記基準電圧選択回路に直接入力する基準電圧線とを備えている構成である。
【０１１０】
本発明に従えば、第１基準電圧の一部が直接基準電圧選択回路に入力されるので、該直接入力される基準電圧線分についてはバッファ回路が不要である。この結果、回路面積の低減が図れると共に、不要となるバッファ回路に流れていた電流を削減でき、信号線駆動回路の省電力化が図れる。
【０１１１】
本発明の信号線駆動回路は、入力された複数の電圧から画像信号の階調に応じて出力電圧を選択し、この出力電圧を信号線駆動信号として出力する基準電圧選択回路を備えた信号線駆動回路において、外部の基準電圧供給手段から入力された少なくとも２つの第１基準電圧の間の電圧を分圧して第２基準電圧を生成する分圧回路と、入力インピーダンスが大きくかつ出力インピーダンスが小さく、前記第２基準電圧を入力し、かつ前記基準電圧選択回路に出力する複数のバッファ回路と、前記の各バッファ回路に電源電圧を供給する各電源線に設けられ、この電源線を遮断／導通するスイッチとを備えている構成である。
【０１１２】
本発明に従えば、各バッファ回路に電源電圧を供給する各電源線に、電源線を遮断／導通するスイッチが配置されているため、バッファ回路出力の基準電圧を使用しない場合、該バッファ回路に供給される電源電圧を遮断できる。これにより、信号線駆動回路内の不要な回路部を流れる電流を削減でき、信号線駆動回路の省電力化が図れる。
【０１１３】
ここで前記の不要な回路部には、バッファ回路を構成するオペアンプ等の定電流電源の他、該定電流源を各オペアンプ中に構成せずに全バッファ回路に共通した一つ回路（以下、バイアス回路という）で構成した場合には、該バイアス回路も含まれる。
【０１１４】
上記の信号線駆動回路において、前記の各スイッチは、画像信号の階調数に応じて制御される構成としてもよい。
【０１１５】
上記の構成によれば、画像信号の階調数に基づいて前記スイッチが制御されるので、使用状況に応じて任意に信号線駆動回路の省電力の程度を選択することができる。
【０１１６】
本発明の信号線駆動回路は、入力された複数の電圧から画像信号の階調に応じて出力電圧を選択し、この出力電圧を信号線駆動信号として出力する基準電圧選択回路を備えた信号線駆動回路において、外部の基準電圧供給手段から入力された少なくとも２つの第１基準電圧の間の電圧を分圧して第２基準電圧を生成する分圧回路と、前記第１基準電圧を前記分圧回路に供給する電源線に設けられ、この電源線を遮断／導通するスイッチとを備えている構成である。
【０１１７】
本発明に従えば、第２基準電圧を生成する分圧回路に第１基準電圧を供給する電源線に、この電源線を遮断／導通するスイッチが配置されるため、分圧回路で生成する第２基準電圧を使用しない場合、該分圧回路に供給される第１基準電圧を遮断できる。これにより、該分圧回路に流れる不要な電流を削減できるため、信号線駆動回路の省電力化が図れる。
【０１１８】
上記の信号線駆動回路において、前記スイッチは、画像信号の階調数に応じて制御される構成としてもよい。
【０１１９】
上記の構成によれば、画像信号の階調数に基づいて前記スイッチが制御されるので、使用状況に応じて任意に信号線駆動回路の省電力の程度を選択することができる。
【０１２０】
本発明の信号線駆動回路は、画像信号をサンプリングするサンプリング回路と、前記サンプリング回路にてサンプリングされた信号をデコードテーブルに基づいて制御信号に変換するデコード回路と、前記制御信号に基づいて、入力された複数の電圧から出力電圧を選択し、この出力電圧を信号線駆動信号として出力する基準電圧選択回路とを備えた信号線駆動回路において、前記デコード回路が、前記デコードテーブルを複数有し、使用するデコードテーブルを切り替え可能である構成である。
【０１２１】
本発明に従えば、デコード回路で使用するデコードテーブルを切り替え可能であるので、画像信号の不要なビットがある場合、不要なデータバスを一定電位に固定することができる。これにより、画像信号の階調数が少ないときには、不要なデータバスに不要な信号が供給されることがなく、この不要な信号によりデータバスに流れる不要な電流を削減できる。この結果、信号線駆動回路の省電力化が図れる。
【０１２２】
また、信号線駆動回路に画像信号を供給する画像信号供給回路等の出力についても、不要なビットに対応する信号を一定電位に固定することができる。このため、信号線駆動回路と前記画像信号供給回路等との間のバスライン間のカップリングによる浮遊容量を充放電する必要が無く、これによっても不要な消費電力が削減できる。
【０１２３】
上記の信号線駆動回路において、複数の前記デコードテーブルでは、前記基準電圧選択回路から出力される電圧の数が複数の前記デコードテーブル間で互いに異なる数となるように、前記サンプリング信号から前記制御信号への変換が設定されている構成としてもよい。
【０１２４】
即ち、複数の前記デコードテーブルは、それらデコードテーブルから得られた制御信号に基づいて前記基準電圧選択回路から電圧（信号線駆動信号）が出力されたときに、複数の前記デコードテーブル間で前記出力電圧の数（種類）が互いに異なるように設定されている構成としてもよい。
【０１２５】
上記の構成によれば、前記複数のデコードテーブルが適宜切り替えられることにより、データバスへの不要な信号の出力を確実に防止できる。
【０１２６】
上記の信号線駆動回路は、前記デコードテーブルの切り替えが画像信号の階調数に応じて制御される構成としてもよい。
【０１２７】
上記の構成によれば、画像信号の階調数に基づいて前記デコードテーブルの切り替えが行なわれるので、使用状況に応じ任意に信号線駆動回路の省電力の程度を選択することができる。
【０１２８】
本発明の信号線駆動回路は、画像信号をサンプリングするサンプリング回路と、前記サンプリング回路にてサンプリングされた信号をデコードテーブルに基づいて制御信号に変換するデコード回路と、前記制御信号に基づいて、入力された複数の電圧から出力電圧を選択し、この出力電圧を信号線駆動信号として出力する基準電圧選択回路とを備え、サンプリングされた信号の階調に応じた信号線駆動信号を出力する信号線駆動回路において、外部の基準電圧供給手段から入力された少なくとも２つの第１基準電圧の間の電圧を分圧して第２基準電圧を生成する分圧回路と、入力インピーダンスが大きくかつ出力インピーダンスが小さく、前記第２基準電圧を入力し、かつ前記基準電圧選択回路に出力する複数のバッファ回路とを備えるとともに、前記の各バッファ回路に電源電圧を供給する各電源線に設けられ、この電源線を遮断／導通する第１スイッチと、前記第１基準電圧を前記分圧回路に供給する電源線に設けられ、この電源線を遮断／導通する第２スイッチと、前記デコード回路が、前記デコードテーブルを複数有し、使用するデコードテーブルを切り替え可能である構成とのうちの少なくとも一つを備え、画像信号の階調に応じて前記第１スイッチと第２スイッチとの少なくとも一方の遮断／導通が制御されるか、または前記デコード回路において使用されるデコードテーブルが画像信号の階調に応じたものに切り替えられる構成である。
【０１２９】
本発明に従えば、各バッファ回路に電源電圧を供給する各電源線を遮断／導通する第１スイッチと、第１基準電圧を分圧回路に供給する電源線を遮断／導通する第２スイッチと、デコード回路が、デコードテーブルを複数有し、使用するデコードテーブルを切り替え可能である構成とのうちの少なくとも一つが備えられている。そして、画像信号の階調に応じて、第１スイッチと第２スイッチとの少なくとも一方の遮断／導通の制御、または使用されるデコードテーブルの切り替えが行なわれる。これにより、信号線駆動回路の省電力化が図れる。
【０１３０】
さらに、信号線駆動回路が、前記第１スイッチ、第２スイッチおよび前記デコード回路の全てを備えており、画像信号の階調数に応じて、前記第１スイッチ、第２スイッチおよびデコード回路の全てを制御する場合には、信号線駆動回路のより大きな省電力化が図れる。
【０１３１】
本発明の信号線駆動回路は、画像信号をサンプリングするサンプリング回路と、前記サンプリング回路にてサンプリングされた信号をデコードテーブルに基づいて制御信号に変換するデコード回路と、前記制御信号に基づいて、入力された複数の電圧から出力電圧を選択し、この出力電圧を信号線駆動信号として出力する基準電圧選択回路とを備え、サンプリングされた信号の階調に応じた信号線駆動信号を出力する信号線駆動回路において、外部の基準電圧供給手段から入力された少なくとも２つの第１基準電圧の間の電圧を分圧して第２基準電圧を生成する分圧回路と、入力インピーダンスが大きくかつ出力インピーダンスが小さく、前記第２基準電圧を入力し、かつ前記基準電圧選択回路に出力する複数のバッファ回路とを備えるとともに、前記の各バッファ回路に電源電圧を供給する各電源線に設けられ、この電源線を遮断／導通する第１スイッチと、前記第１基準電圧を前記分圧回路に供給する電源線に設けられ、この電源線を遮断／導通する第２スイッチと、前記デコード回路が、前記デコードテーブルを複数有し、使用するデコードテーブルを切り替え可能である構成とを備え、前記画像信号の階調数が前記基準電圧供給手段から入力される基準電圧の数以下の場合に、前記第１スイッチおよび第２スイッチが共に遮断され、かつ前記デコード回路において使用されるデコードテーブルが画像信号の階調数に応じたものとなるように切り替えられる構成である。
【０１３２】
本発明に従えば、各バッファ回路に電源電圧を供給する各電源線を遮断／導通する第１スイッチと、第１基準電圧を前記分圧回路に供給する電源線を遮断／導通する第２スイッチと、デコード回路の使用するデコードテーブルを切り替え可能である構成とが備えられている。そして、第１スイッチ、第２スイッチまたはデコード回路が画像信号の階調数に応じて制御され、画像信号の階調数が第１基準電圧の数以下の場合、第１スイッチおよび第２スイッチが共に遮断され、かつデコード回路において使用されるデコードテーブルが画像信号の階調数に応じたものとなるように切り替えられる。即ち、デコードテーブルは、有効な画像信号に対応するビットのみで有効なデコードテーブルに切り替えられる。
【０１３３】
これにより、使用状況に応じて任意に信号線駆動回路の省電力の程度を選択することができ、画像信号の階調数が第１基準電圧の数より多い場合より信号線駆動回路の省電力化が大いに図れる。
【０１３４】
本発明の画像表示装置は、マトリクス状に配置された画素と、前記画素に接続された複数の信号線と、前記画素に接続された複数の走査線と、前記走査線に走査信号を出力し垂直走査を行う走査信号線駆動回路と、入力された複数の電圧から画像信号の階調に応じて出力電圧を選択し、この出力電圧を前記信号線に信号線駆動信号として出力する基準電圧選択回路を有する信号線駆動回路とを備えた画像表示装置において、外部の基準電圧供給手段から入力された少なくとも２つの第１基準電圧の間の電圧を分圧して第２基準電圧を生成する分圧回路と、入力インピーダンスが大きくかつ出力インピーダンスが小さく、前記第２基準電圧を入力し、かつ前記基準電圧選択回路に出力するバッファ回路と、前記基準電圧供給手段から入力された第１基準電圧を前記基準電圧選択回路に直接入力する基準電圧線とを備えている構成である。
【０１３５】
本発明に従えば、第１基準電圧の一部が直接基準電圧選択回路に入力されるので、該直接入力される基準電圧線分についてはバッファ回路が不要である。この結果、回路面積の低減が図れると共に、不要となるバッファ回路に流れていた電流を削減でき、画像表示装置の省電力化が図れる。
【０１３６】
本発明の画像表示装置は、マトリクス状に配置された画素と、前記画素に接続された複数の信号線と、前記画素に接続された複数の走査線と、前記走査線に走査信号を出力し垂直走査を行う走査信号線駆動回路と、入力された複数の電圧から画像信号の階調に応じて出力電圧を選択し、この出力電圧を前記信号線に信号線駆動信号として出力する基準電圧選択回路を有する信号線駆動回路とを備えた画像表示装置において、外部の基準電圧供給手段から入力された少なくとも２つの第１基準電圧の間の電圧を分圧して第２基準電圧を生成する分圧回路と、入力インピーダンスが大きくかつ出力インピーダンスが小さく、前記第２基準電圧を入力し、かつ前記基準電圧選択回路に出力する複数のバッファ回路と、前記の各バッファ回路に電源電圧を供給する各電源線に設けられ、この電源線を遮断／導通するスイッチと、前記スイッチの遮断／導通を制御する制御手段とを備えている構成である。
【０１３７】
本発明に従えば、各バッファ回路に電源電圧を供給する各電源線に、電源線を遮断／導通するスイッチが配置されているため、バッファ回路出力の基準電圧を使用しない場合、該バッファ回路に供給される電源電圧を遮断できる。これにより、信号線駆動回路内の不要な回路部を流れる電流を削減でき、画像表示装置の省電力化が図れる。
【０１３８】
ここで前記の不要な回路部には、バッファ回路を構成するオペアンプ等の定電流電源の他、該定電流源を各オペアンプ中に構成せずに全バッファ回路に共通した一つ回路（以下、バイアス回路という）で構成した場合には、該バイアス回路も含まれる。
【０１３９】
本発明の画像表示装置は、マトリクス状に配置された画素と、前記画素に接続された複数の信号線と、前記画素に接続された複数の走査線と、前記走査線に走査信号を出力し垂直走査を行う走査信号線駆動回路と、入力された複数の電圧から画像信号の階調に応じて出力電圧を選択し、この出力電圧を前記信号線に信号線駆動信号として出力する基準電圧選択回路を有する信号線駆動回路とを備えた画像表示装置において、外部の基準電圧供給手段から入力された少なくとも２つの第１基準電圧の間の電圧を分圧して第２基準電圧を生成する分圧回路と、前記第１基準電圧を前記分圧回路に供給する電源線に設けられ、この電源線を遮断／導通するスイッチと、前記スイッチの遮断／導通を制御する制御手段とを備えている構成である。
【０１４０】
本発明に従えば、第２基準電圧を生成する分圧回路に第１基準電圧を供給する電源線に、この電源線を遮断／導通するスイッチが配置されるため、分圧回路で生成する第２基準電圧を使用しない場合、該分圧回路に供給される第１基準電圧を遮断できる。これにより、該分圧回路に流れる不要な電流を削減できるため、画像表示装置の省電力化が図れる。
【０１４１】
本発明の画像表示装置は、マトリクス状に配置された画素と、前記画素に接続された複数の信号線と、前記画素に接続された複数の走査線と、前記走査線に走査信号を出力し垂直走査を行う走査信号線駆動回路と、画像信号をサンプリングするサンプリング回路、前記サンプリング回路にてサンプリングされた信号をデコードテーブルに基づいて制御信号に変換するデコード回路、および前記制御信号に基づいて、入力された複数の電圧から出力電圧を選択し、この出力電圧を信号線駆動信号として前記信号線に出力する基準電圧選択回路を有する信号線駆動回路とを備えた画像表示装置において、前記デコード回路は、前記デコードテーブルを複数有し、使用するデコードテーブルを切り替え可能であり、さらに、前記デコード回路で使用するデコードテーブルを切り替える制御手段を備えている構成である。
【０１４２】
本発明に従えば、デコード回路で使用するデコードテーブルを切り替え可能であるので、画像信号の不要なビットがある場合、不要なデータバスを一定電位に固定することができる。これにより、画像信号の階調数が少ないときには、不要なデータバスに不要な信号が供給されることがなく、この不要な信号によりデータバスに流れる不要な電流を削減できる。この結果、画像表示装置の省電力化が図れる。
【０１４３】
また、信号線駆動回路に画像信号を供給する画像信号供給回路等の出力についても、不要なビットに対応する信号を一定電位に固定することができる。このため、信号線駆動回路と前記画像信号供給回路等との間のバスライン間のカップリングによる浮遊容量を充放電する必要が無く、これによっても不要な消費電力が削減できる。
【０１４４】
上記の画像表示装置において、複数の前記デコードテーブルでは、前記基準電圧選択回路から出力される電圧の数が複数の前記デコードテーブル間で互いに異なる数となるように、前記サンプリング信号から前記制御信号への変換が設定されている構成としてもよい。
【０１４５】
上記の構成によれば、前記複数のデコードテーブルが適宜切り替えられることにより、データバスへの不要な信号の出力を確実に防止できる。
【０１４６】
上記の画像表示装置において、前記制御手段は、前記デコードテーブルの切り替えを画像信号の階調数に応じて制御する構成としてもよい。
【０１４７】
上記の構成によれば、画像信号の階調数に基づいて前記デコードテーブルの切り替えが行なわれるので、使用状況に応じ任意に画像表示装置の省電力の程度を選択することができる。
【０１４８】
本発明の画像表示装置は、マトリクス状に配置された画素と、前記画素に接続された複数の信号線と、前記画素に接続された複数の走査線と、前記走査線に走査信号を出力し垂直走査を行う走査信号線駆動回路と、画像信号をサンプリングするサンプリング回路、前記サンプリング回路にてサンプリングされた信号をデコードテーブルに基づいて制御信号に変換するデコード回路、および前記制御信号に基づいて、入力された複数の電圧から出力電圧を選択し、この出力電圧を信号線駆動信号として出力する基準電圧選択回路を有し、サンプリングされた信号の階調に応じた信号線駆動信号を前記信号線に出力する信号線駆動回路とを備えた画像表示装置において、外部の基準電圧供給手段から入力された少なくとも２つの第１基準電圧の間の電圧を分圧して第２基準電圧を生成する分圧回路と、入力インピーダンスが大きくかつ出力インピーダンスが小さく、前記第２基準電圧を入力し、かつ前記基準電圧選択回路に出力する複数のバッファ回路とを備えるとともに、前記の各バッファ回路に電源電圧を供給する各電源線に設けられ、この電源線を遮断／導通する第１スイッチと、前記第１基準電圧を前記分圧回路に供給する電源線に設けられ、この電源線を遮断／導通する第２スイッチと、前記デコード回路が、前記デコードテーブルを複数有し、使用するデコードテーブルを切り替え可能である構成とのうちの少なくとも一つを備え、画像信号の階調に応じて前記第１スイッチと第２スイッチとの少なくとも一方の遮断／導通を制御するか、または前記デコード回路において使用されるデコードテーブルが画像信号の階調に応じたものに切り替える制御手段を備えている構成である。
【０１４９】
本発明に従えば、各バッファ回路に電源電圧を供給する各電源線を遮断／導通する第１スイッチと、第１基準電圧を分圧回路に供給する電源線を遮断／導通する第２スイッチと、デコード回路が、デコードテーブルを複数有し、使用するデコードテーブルを切り替え可能である構成とのうちの少なくとも一つが備えられている。そして、画像信号の階調に応じて、第１スイッチと第２スイッチとの少なくとも一方の遮断／導通の制御、または使用されるデコードテーブルの切り替えが行なわれる。これにより、画像表示装置の省電力化が図れる。
【０１５０】
さらに、画像表示装置が、前記第１スイッチ、第２スイッチおよび前記デコード回路の全てを備えており、画像信号の階調数に応じて、前記第１スイッチ、第２スイッチおよびデコード回路の全てを制御する場合には、画像表示装置のより大きな省電力化が図れる。
【０１５１】
本発明の画像表示装置は、マトリクス状に配置された画素と、前記画素に接続された複数の信号線と、前記画素に接続された複数の走査線と、前記走査線に走査信号を出力し垂直走査を行う走査信号線駆動回路と、画像信号をサンプリングするサンプリング回路、前記サンプリング回路にてサンプリングされた信号をデコードテーブルに基づいて制御信号に変換するデコード回路、および前記制御信号に基づいて、入力された複数の電圧から出力電圧を選択し、この出力電圧を信号線駆動信号として出力する基準電圧選択回路を有し、サンプリングされた信号の階調に応じた信号線駆動信号を前記信号線に出力する信号線駆動回路とを備えた画像表示装置において、外部の基準電圧供給手段から入力された少なくとも２つの第１基準電圧の間の電圧を分圧して第２基準電圧を生成する分圧回路と、入力インピーダンスが大きくかつ出力インピーダンスが小さく、前記第２基準電圧を入力し、かつ前記基準電圧選択回路に出力する複数のバッファ回路とを備えるとともに、前記の各バッファ回路に電源電圧を供給する各電源線に設けられ、この電源線を遮断／導通する第１スイッチと、前記第１基準電圧を前記分圧回路に供給する電源線に設けられ、この電源線を遮断／導通する第２スイッチと、前記デコード回路が、前記デコードテーブルを複数有し、使用するデコードテーブルを切り替え可能である構成とを備え、さらに、前記画像信号の階調数が前記基準電圧供給手段から入力される基準電圧の数以下の場合に、前記第１スイッチおよび第２スイッチを共に遮断し、かつ前記デコード回路において使用されるデコードテーブルが画像信号の階調数に応じたものとなるように切り替える制御手段を備えている構成である。
【０１５２】
本発明に従えば、各バッファ回路に電源電圧を供給する各電源線を遮断／導通する第１スイッチと、第１基準電圧を前記分圧回路に供給する電源線を遮断／導通する第２スイッチと、デコード回路の使用するデコードテーブルを切り替え可能である構成とが備えられている。そして、第１スイッチ、第２スイッチまたはデコード回路が画像信号の階調数に応じて制御され、画像信号の階調数が第１基準電圧の数以下の場合、第１スイッチおよび第２スイッチが共に遮断され、かつデコード回路において使用されるデコードテーブルが画像信号の階調数に応じたものとなるように切り替えられる。即ち、デコードテーブルは、有効な画像信号に対応するビットのみで有効なデコードテーブルに切り替えられる。
【０１５３】
これにより、使用状況に応じて任意に画像表示装置の省電力の程度を選択することができ、画像信号の階調数が第１基準電圧の数より多い場合より画像表示装置の省電力化が大いに図れる。
【０１５４】
本発明の携帯機器は、前記何れかの画像表示装置が搭載されている構成である。
【０１５５】
したがって、該携帯機器の使用者が使用する状況、表示する画像信号の種類等により携帯機器の画像表示装置の駆動モードを変更し、必要に応じた省電力化が図れ、携帯機器のバッテリの使用時間を延ばすことができる。
【０１５６】
【発明の効果】
以上のように、本発明の信号線駆動回路は、外部の基準電圧供給手段から入力された第１基準電圧を前記基準電圧選択回路に直接入力する基準電圧線を備えている構成である。
【０１５７】
本発明に従えば、第１基準電圧の一部が直接基準電圧選択回路に入力されるので、該直接入力される基準電圧線分についてはバッファ回路が不要である。この結果、回路面積の低減が図れると共に、不要となるバッファ回路に流れていた電流を削減でき、信号線駆動回路の省電力化が図れる。
【０１５８】
本発明の信号線駆動回路は、前記第１基準電圧の少なくとも２つの電圧間を分圧して得られる第２基準電圧は、入力インピーダンスが大きく出力インピーダンスが小さいバッファ回路を介して前記基準電圧選択回路に入力されると共に、前記第１基準電圧が直接前記基準電圧選択回路に入力され、該基準電圧選択回路は入力される電圧を選択し、前記画像信号の階調に応じた信号線駆動信号を出力する構成である。
【０１５９】
本発明に従えば、第１基準電圧の一部が直接基準電圧選択回路に入力されるので、該直接入力される基準電圧線分についてはバッファ回路が不要である。この結果、回路面積の低減が図れると共に、不要となるバッファ回路に流れていた電流を削減でき、信号線駆動回路の省電力化が図れる。
【０１６０】
本発明の信号線駆動回路は、前記第１基準電圧の少なくとも２つの電圧間を分圧して得られる第２基準電圧は、入力インピーダンスが大きく出力インピーダンスが小さいバッファ回路を介して前記基準電圧選択回路に入力されると共に、前記信号線駆動回路に供給される電源電圧の内、少なくとも前記バッファ回路に供給される電源電圧は、第１制御信号により制御される第１スイッチを介して該バッファ回路に供給され、前記基準電圧選択回路は入力される電圧を選択し、前記画像信号の階調に応じた信号線駆動信号を出力する構成である。
【０１６１】
本発明に従えば、バッファの電源端子と供給電源間に第１制御信号で制御される第１スイッチを配置するため、バッファ出力の基準電圧を使用しない場合、該バッファに供給される電源を遮断し、信号線駆動回路内の不要な回路部を流れる電流を削減でき、信号線駆動回路の省電力化が図れる。
【０１６２】
ここで前記の不要な回路部には、バッファを構成するオペアンプ等の定電流電源の他、該定電流源を各オペアンプ中に構成せず、全バッファに共通した一つ回路（以下、バイアス回路という）で構成した場合には、該バイアス回路も含まれる。
【０１６３】
上記の信号線駆動回路において、前記第１スイッチは、画像信号の階調数に応じて制御される構成としてもよい。
【０１６４】
上記の構成によれば、画像信号の階調数に基づいて前記第１スイッチを制御するので、使用状況に応じ任意に信号線駆動回路の省電力の程度を選択することができる。
【０１６５】
本発明の信号線駆動回路は、第１基準電圧と分圧回路間に第２制御信号により制御される第２スイッチを設けた構成である。
【０１６６】
本発明に従えば、第２基準電圧を得る分圧回路に供給する第１基準電源と該分圧回路間に第２制御信号で制御される第２スイッチを配置するため、分圧回路で作成する第２基準電圧を使用しない場合、該分圧回路に供給される第１基準電圧を遮断し該分圧回路に流れる不要な電流を削減できるため、信号線駆動回路の省電力化が図れる。
【０１６７】
上記の信号線駆動回路において、前記第２スイッチは、画像信号の階調数に応じて制御される構成としてもよい。
【０１６８】
上記の構成によれば、画像信号の階調数に基づいて前記第２スイッチを制御するので、使用状況に応じ任意に信号線駆動回路の省電力の程度を選択することができる。
【０１６９】
本発明の信号線駆動回路は、前記デコード回路が、第３制御信号により制御されてデコードテーブルを変更し、前記基準電圧選択回路が基準電圧を選択するパターンを変更させる構成である。
【０１７０】
本発明に従えば、デコードテーブルを第３制御信号により変更できるデコード回路を配置するため、画像信号の不要なビットがある場合、不要なデータバスを一定電位に固定することができるので、画像信号の階調数が少ないとき、不要なデータバスに不必要な信号が伝播しその信号変化で流れる不要な電流を削減できるため、信号線駆動回路の省電力化が図れる。
【０１７１】
また、信号線駆動回路に入力される画像信号を供給する画像信号供給回路等の出力についても不要なビットに対応する信号を一定電位に固定することができるため、前記信号線駆動回路と画像信号供給回路等との間のバスライン間のカップリングによる浮遊容量を充放電する必要が無く、不要な消費電力が削減できる。
【０１７２】
上記の信号線駆動回路は、前記デコード回路は、画像信号の階調数に応じて制御される構成としてもよい。
【０１７３】
上記の構成によれば、画像信号の階調数に基づいて前記デコード回路を制御するので、使用状況に応じ任意に信号線駆動回路の省電力の程度を選択することができる。
【０１７４】
本発明の信号線駆動回路は、前記バッファ回路ヘの電源を遮断する第１スイッチ、前記第１基準電圧と該分圧回路との間に設置され該分圧回路へ供給される該基準電圧を遮断する第２スイッチ、またはデコードテーブルを変更し前記基準電圧選択回路が基準電圧を選択するパターンを変更させるデコード回路の少なくとも一つを備え、画像信号の階調数に応じ前記第１スイッチ、第２スイッチまたはデコード回路のデコードテーブルの少なくとも一つが遮断または導通の制御をされるかまたはデコードテーブルが変更される構成である。
【０１７５】
本発明に従えば、バッファの電源端子と供給電源間に配置された第１制御信号で制御される第１スイッチ、第２基準電圧を得る分圧回路に供給する第１基準電源と該分圧回路間に配置された第２制御信号で制御される第２スイッチ、または階調基準電圧選択回路を制御するデコード回路のデコードテーブルを第３制御信号で制御できるデコード回路の少なくとも一つを備え、前記第１スイッチ、第２スイッチまたはデコード回路の少なくとも一つが画像信号の階調数に応じ制御されるので、信号線駆動回路の省電力化が図れる。
【０１７６】
更にもし前記第１スイッチ、第２スイッチおよびデコード回路全てを備え、画像信号の階調数に応じ前記第１スイッチ、第２スイッチおよびデコード回路の全てを制御すれば、より大きな信号線駆動回路の省電力化が図れる。
【０１７７】
本発明の信号線駆動回路は、前記バッファ回路ヘの電源を遮断する第１スイッチ、前記第１基準電圧と該分圧回路間に設置され該分圧回路へ供給される該基準電圧を遮断する第２スイッチ、およびデコードテーブルを変更し、前記基準電圧選択回路が基準電圧を選択するパターンを変更させることができるデコード回路を備え、前記画像信号の階調数が前記第１基準電圧の数以下の場合、前記第１スイッチおよび第２スイッチが共に遮断され、かつデコード回路のデコードテーブルが画像信号の階調数に対応したデコードテーブルとなる構成である。
【０１７８】
本発明に従えば、バッファの電源端子と供給電源間に配置された第１制御信号で制御される第１スイッチ、第２基準電圧を得る分圧回路に供給する第１基準電１源と該分圧回路間に配置された第２制御信号で制御される第２スイッチ、および階調基準電圧選択回路を制御するデコード回路のデコードテーブルを第３制御信号で制御できるデコード回路を備え、前記第１スイッチ、第２スイッチまたはデコード回路が画像信号の階調数に応じ制御され、画像信号の階調数が前記第１基準電圧の数以下の場合、第１スイッチおよび第２スイッチが共に遮断され、かつデコード回路が有効な画像信号に対応するビットのみで有効なデコードテーブルとなるので、使用状況に応じ任意に信号線駆動回路の省電力の程度を選択することができ、画像信号の階調数が第１基準電圧の数より多い場合より信号線駆動回路の省電力化が大いに図れる。
【０１７９】
本発明の画像表示装置は、前記第１基準電圧の少なくとも２つの電圧間を分圧して得られる第２基準電圧は、入力インピーダンスが大きく出力インピーダンスが小さいバッファ回路を介して前記基準電圧選択回路に入力されると共に、前記第１基準電圧が直接前記基準電圧選択回路に入力され、該基準電圧選択回路は入力される電圧を選択し、前記画像信号の階調に応じた信号線駆動信号を出力する構成である。
【０１８０】
本発明に従えば、第１基準電圧の一部が直接基準電圧選択回路に入力されるので、該直接入力される基準電圧線はバッファが不要であり回路面積の低減が図れると共に、不要バッファに流れていた電流を削減できる信号線駆動回路の省電力化が図れ、該信号線駆動回路を備えた画像表示装置の省電力化が図れる。
【０１８１】
本発明の画像表示装置は、前記第１基準電圧の少なくとも２つの電圧間を分圧して得られる第２基準電圧は、入力インピーダンスが大きく出力インピーダンスが小さいバッファ回路を介して前記基準電圧選択回路に入力されると共に、前記信号線駆動回路に供給される電源電圧の内、少なくとも前記バッファ回路に供給される電源電圧は、第１制御信号により制御される第１スイッチを介して該バッファに供給され、前記基準電圧選択回路は入力される電圧を選択し、前記画像信号の階調に応じた信号線駆動信号を出力する構成である。
【０１８２】
本発明に従えば、バッファの電源端子と供給電源間に第１制御信号で制御される第１スイッチを配置するため、バッファ出力の基準電圧を使用しない場合、該バッファに供給される電源を遮断し、信号線駆動回路内の不要な回路部を流れる電流を削減でき、信号線駆動回路の省電力化が図れ、該信号線駆動回路を備えた画像表示装置の省電力化が図れる。
【０１８３】
ここで前記の不要な回路部には、バッファを構成するオペアンプ等の定電流電源の他、該定電流源を各オペアンプ中に構成せず、全バッファに共通した一の回路（以下、バイアス回路という）で構成した場合には、該バイアス回路も含まれる。
【０１８４】
本発明の画像表示装置は、第１基準電圧と分圧回路間に第２制御信号により制御される第２スイッチを設けた構成である。
【０１８５】
本発明に従えば、第２基準電圧を得る分圧回路に供給する第１基準電源と該分圧回路間に第２制御信号で制御される第２スイッチを配置するため、分圧回路で作成する第２基準電圧を使用しない場合、該分圧回路に供給される第１基準電圧を遮断し該分圧回路に流れる不要な電流を削減できるため、信号線駆動回路の省電力化が図れ、該信号線駆動回路を備えた画像表示装置の省電力化が図れる。
【０１８６】
本発明の画像表示装置は、前記デコード回路が、第３制御信号により制御されてデコードテーブルを変更し、前記基準電圧選択回路が基準電圧を選択するパターンを変更する構成である。
【０１８７】
本発明に従えば、デコードテーブルを第３制御信号により変更できるデコード回路を配置するため、画像信号の不要なビットがある場合、不要なデータバスを一定電位に固定することができるので、画像信号の階調数が少ないとき、不要なデータバスに不必要な信号が伝播しその信号変化で流れる不要な電流を削減できるため、液晶表示装置の省電力化が図れる。
【０１８８】
また、信号線駆動回路に入力される画像信号を供給する画像信号供給回路等の出力についても不要なビットに対応する信号を一定電位に固定することができるため、前記信号線駆動回路と画像信号供給回路等との間のバスライン間のカップリングによる浮遊容量を充放電する必要が無く、不要な消費電力が削減できる。
【０１８９】
本発明の画像表示装置は、前記バッファ回路ヘの電源を遮断する第１スイッチ、前記第１基準電圧と該分圧回路との間に設置され該分圧回路へ供給される該基準電圧を遮断する第２スイッチ、またはデコードテーブルを変更し、前記基準電圧選択回路が基準電圧を選択するパターンを変更させるデコード回路の少なくとも一つを備え、画像信号の階調数に応じ前記第１スイッチ、第２スイッチまたはデコード回路のデコードテーブルの少なくとも一つが遮断または導通の制御をされるかまたはデコードテーブルが変更される構成である。
【０１９０】
本発明に従えば、バッファの電源端子と供給電源間に配置された第１制御信号で制御される第１スイッチ、第２基準電圧を得る分圧回路に供給する第１基準電源と該分圧回路間に配置された第２制御信号で制御される第２スイッチ、または階調基準電圧選択回路を制御するデコード回路のデコードテーブルを第３制御信号で制御できるデコード回路の少なくとも一つを備え、前記第１スイッチ、第２スイッチまたはデコード回路の少なくとも一つが画像信号の階調数に応じ制御されるので、画像表示装置の省電力化が図れる。更にもし前記第１スイッチ、第２スイッチおよびデコード回路全てを備え、画像信号の階調数に応じ前記第１スイッチ、第２スイッチおよびデコード回路の全てを制御すれば、より大きな画像表示装置の省電力化が図れる。
【０１９１】
本発明の画像表示装置は、前記バッファ回路ヘの電源を遮断する第１スイッチ、前記第１基準電圧と該分圧回路との間に設置され該分圧回路へ供給される該基準電圧を遮断する第２スイッチ、およびデコードテーブルを変更し、前記基準電圧選択回路が基準電圧を選択するパターンを変更させることができるデコード回路を備え、前記画像信号の階調数が前記第１基準電圧の数以下の場合、前記第１スイッチおよび第２スイッチが共に遮断され、かつデコード回路のデコードテーブルが画像信号の階調数に対応したデコードテーブルとなる構成である。
【０１９２】
本発明に従えば、バッファの電源端子と供給電源間に配置された第１制御信号で制御される第１スイッチ、第２基準電圧を得る分圧回路に供給する第１基準電源と該分圧回路間に配置された第２制御信号で制御される第２スイッチ、および階調基準電圧選択回路を制御するデコード回路のデコードテーブルを第３制御信号で制御できるデコード回路を備え、前記第１スイッチ、第２スイッチまたはデコード回路が画像信号の階調数に応じ制御され、画像信号の階調数が前記第１基準電圧の数以下の場合、第１スイッチおよび第２スイッチが共に遮断され、かつデコード回路が有効な画像信号に対応するビットのみで有効なデコードテーブルとなるので、使用状況に応じ任意に画像表示装置の省電力の程度を選択することができ、画像信号の階調数が第１基準電圧の数より多い場合より画像表示装置の省電力化が大いに図れる。
【０１９３】
上記の画像表示装置は、前記画像信号の階調数の変化に応じ、前記第１スイッチ、第２スイッチまたはデコード回路の少なくとも一つを制御し、駆動モードを任意に切り替える設定回路を有する構成としてもよい。
【０１９４】
上記の構成によれば、画像信号の階調数により前記信号線駆動回路に備えられた前記第１スイッチ、第２スイッチおよび／またはデコード回路を、使用状況に応じ任意に制御できる設定回路を備えているので、駆動モードを任意に切り替えることができ、使用状況に応じて画像表示装置の省電力化が図れる。
【０１９５】
本発明の携帯機器は、画像表示装置を有する携帯機器において、上記何れかの画像表示装置が搭載されている構成である。
【０１９６】
上記の構成によれば、携帯機器は、前記画像表示装置が搭載されているので、該携帯機器の使用者が使用する状況、表示する画像信号の種類等により携帯機器の画像表示装置の駆動モードを変更し、必要に応じた省電力化が図れ、携帯機器のバッテリの使用時間を延ばすことができる。
【図面の簡単な説明】
【図１】本発明の実施の一形態における信号線駆動回路の構成を示す回路図である。
【図２】図１に示した信号線駆動回路を備えた画像表示装置の構成を示すブロック図である。
【図３】従来の画像表示装置の構成を示すブロック図である。
【図４】図３に示した画像表示装置が備える信号線駆動回路の構成を示す回路図である。
【符号の説明】
１      液晶表示装置
２      外部電源回路
３      画像信号供給回路
１１      信号線駆動回路
１２      外部基準電源回路（基準電圧供給手段）
１３      ラッチ回路
１４      設定回路（制御手段）
１５      走査線駆動回路
１６      画素電極
１９      走査線
３１      入力端子
３２      サンプリング・ラッチ回路
３３      デコード回路
３４      基準電圧選択回路
３５      分圧回路
３６      ラダー抵抗
３７      バッファ回路
３８      出力端子
３９      基準電圧線
４１      第１スイッチ
４２      第２スイッチ
ＶＢ１      第１基準電圧
ＶＢ１max   最大電圧値
ＶＢ１min   最小電圧値
ＶＢ２      第２基準電圧
Ｒ０〜５    画像信号（赤）
Ｇ０〜５    画像信号（緑）
Ｂ０〜５    画像信号（青）
ＰＷ        電源電圧
ＭＯ        設定信号
ＣＳ１      第１制御信号
ＣＳ２      第２制御信号
ＣＳ３      第３制御信号
【図１】
0003832627.tif 000005
【図２】
0003832627.tif 000006
【図３】
0003832627.tif 000007
【図４】
0003832627.tif 000008